(57)【要約】【課題】折り曲げ可能なディスプレイにおける動画の視認性を向上させる。【解決手段】折り曲げ可能な表示領域に動画を表示する表示装置の動画制御方法であって、表示領域において動画が表示されている位置に関する動画位置情報を取得することと、表示領域の折り曲げ位置に関する折り曲げ位置情報を取得することと、動画位置情報と折り曲げ位置情報とに基づいて、表示領域に表示されている動画を制御することとを含む。【選択図】図１
2020106571.tif 000002
【特許請求の範囲】
【請求項１】
折り曲げ可能な表示領域に動画を表示する表示装置の動画制御方法であって、
前記表示領域において前記動画が表示されている位置に関する動画位置情報を取得することと、
前記表示領域の折り曲げ位置に関する折り曲げ位置情報を取得することと、
前記動画位置情報と前記折り曲げ位置情報とに基づいて、前記表示領域に表示されている前記動画を制御することとを含む。
【請求項２】
請求項１に記載の動画制御方法であって、
前記動画位置情報と前記折り曲げ位置情報とに基づく前記動画の制御は、前記動画位置情報と前記折り曲げ位置情報との位置関係に基づいて、前記動画の停止または、再生の制御を行う。
【請求項３】
請求項２に記載の動画制御方法であって、
前記動画位置情報と前記折り曲げ位置情報とが、第１位置関係の場合、前記動画を停止させる制御を行い、前記動画位置情報と前記折り曲げ位置情報とが、前記第１位置関係より位置関係が遠い第２位置関係の場合、前記動画を再生する制御を行うことを含む。
【請求項４】
請求項１から請求項３のいずれか一項に記載の動画制御方法であって、
前記動画位置情報は、前記動画が表示されている前記表示領域上の位置とは異なる、前記動画が表示されている位置の基準となる第１基準位置情報を含み、
前記折り曲げ位置情報は、前記折り曲げ位置の前記表示領域上の位置とは異なる、前記折り曲げ位置の基準となる第２基準位置情報を含み、
前記第１基準位置情報と、前記第２基準位置情報とに基づいて、前記表示領域に表示されている前記動画を制御することを含む。
【請求項５】
請求項４に記載の動画制御方法であって、
前記表示領域に表示される画像の表示倍率に基づいて、前記動画の位置と前記第１基準位置情報に基づく位置との前記表示領域上の位置関係を変更することを含む。
【請求項６】
請求項４または請求項５に記載の動画制御方法であって、
前記第１基準位置情報は、前記表示領域上の前記折り曲げ位置と、前記表示領域の上の前記動画の位置とが設定された範囲内に含まれる場合、前記第１基準位置情報と前記第２基準位置情報とが前記設定された範囲内に含まれる位置に設定され、
前記第１基準位置情報と前記第２基準位置情報とが前記設定された範囲内に含まれる場合、前記動画を停止する制御を行うことを含む。
【請求項７】
請求項４から請求項６のいずれか一項に記載の動画制御方法であって、
前記第１基準位置情報は、前記表示装置に対する前記ユーザの入力による、前記動画の位置の変更に基づいて、前記表示領域上での位置が変更する。
【請求項８】
請求項２または請求項３に記載の動画制御方法であって、
前記動画の停止は、前記動画を構成する複数のフレーム画像のうちの一部のフレーム画像を継続して表示することである
【請求項９】
請求項１から請求項８に記載の動画制御方法であって、
前記動画の制御は、前記動画の表示位置と、前記折り曲げ位置に基づく折り曲げ領域とに基づいて制御を行うことを含む。
【請求項１０】
請求項９に記載の動画制御方法であって、
前記動画の制御は、前記動画の表示位置が前記折り曲げ領域に含まれる場合、前記動画の表示位置を移動させる制御を含む。
【請求項１１】
請求項９または請求項１０に記載の動画制御方法であって、
前記折り曲げ状態情報は、前記表示領域の折り曲げによる、折り曲げ角度の情報が含まれ、
前記動画の制御は、前記折り曲げ角度が変化した場合、前記表示領域に表示されている前記動画の表示位置を移動させる制御を含む。
【請求項１２】
請求項９から請求項１１のいずれか一項に記載の動画制御方法であって
前記動画の制御は、前記動画の表示位置が前記折り曲げ領域に含まれる場合、前記動画の表示位置を前記折り曲げ領域とは異なる領域に移動させる制御を含む。
【請求項１３】
請求項９から請求項１２のいずれか一項に記載の動画制御方法であって、
前記動画の制御は、前記動画の表示位置が前記折り曲げ領域に含まれる場合、前記動画を停止させ、前記動画の表示位置が前記折り曲げ領域とは異なる領域に移動された場合、前記動画を再生する制御を含む。
【請求項１４】
請求項９から請求項１３のいずれか一項に記載の動画制御方法であって、
前記表示領域に表示される情報は、前記動画を含む第１情報と、前記動画を含まない第２情報とが含まれ、
前記動画の制御は、前記第１情報の表示位置が前記折り曲げ領域に含まれ、前記第２情報の表示位置が前記折り曲げ領域とは異なる領域に含まれる場合、前記第１情報の表示位置と、前記第２情報の表示位置とを入れ替える制御を含む。
【請求項１５】
折り曲げ可能な表示領域に動画を表示する表示装置のコンピュータによって実行されるプログラムであって、
前記表示領域において前記動画が表示されている位置に関する動画位置情報を取得することと、
前記表示領域の折り曲げ位置に関する折り曲げ位置情報を取得することと、
前記動画位置情報と前記折り曲げ位置情報とに基づいて、前記表示領域に表示されている前記動画を制御することとを含む。
【請求項１６】
折り曲げ可能な表示領域に動画を表示する表示装置であって、
前記表示領域において前記動画が表示されている位置に関する動画位置情報を取得し、前記表示領域の折り曲げ位置に関する折り曲げ位置情報を取得する取得部と、
前記動画位置情報と前記折り曲げ位置情報とに基づいて、前記表示領域に表示されている前記動画を制御する制御部とを備える。
【発明の詳細な説明】
【技術分野】
【０００１】
本開示は、表示制御方法、プログラム及び表示装置に関する。
【背景技術】
【０００２】
近年、複数の表示面を有し折り曲げ可能なマルチパネルデバイスのための技術が開発されている。例えば、特許文献１にはヒンジによって結合された複数の表示面を有するマルチパネルデバイスについての技術が開示されている。しかし、その表示態様の検討までは十分ではなかった。
【先行技術文献】
【特許文献】
【０００３】
【特許文献１】特表２０１２−５０２３２１号公報
【発明の概要】
【０００４】
本発明の第１の態様によると、折り曲げ可能な表示領域に動画を表示する表示装置の動画制御方法であって、前記表示領域において前記動画が表示されている位置に関する動画位置情報を取得することと、前記表示領域の折り曲げ位置に関する折り曲げ位置情報を取得することと、前記動画位置情報と前記折り曲げ位置情報とに基づいて、前記表示領域に表示されている前記動画を制御することとを含む。
本発明の第２の態様によると、折り曲げ可能な表示領域に動画を表示する表示装置のコンピュータによって実行されるプログラムであって、前記表示領域において前記動画が表示されている位置に関する動画位置情報を取得することと、前記表示領域の折り曲げ位置に関する折り曲げ位置情報を取得することと、前記動画位置情報と前記折り曲げ位置情報とに基づいて、前記表示領域に表示されている前記動画を制御することとを含む。
本発明の第３の態様によると、折り曲げ可能な表示領域に動画を表示する表示装置であって、前記表示領域において前記動画が表示されている位置に関する動画位置情報を取得し、前記表示領域の折り曲げ位置に関する折り曲げ位置情報を取得する取得部と、前記動画位置情報と前記折り曲げ位置情報とに基づいて、前記表示領域に表示されている前記動画を制御する制御部とを備える。
【図面の簡単な説明】
【０００５】
【図１】実施形態の一態様における通信システムの構成を示す図。
【図２】実施形態の一態様における通信システムの構成の概要を示す図。
【図３】本実施形態の端末の外観構成の一例を示す図。
【図４】本実施形態の端末のディスプレイに表示される画像の一例を示す図。
【図５】本実施形態の端末が備える制御部の動作の一例を示す図。
【図６】本実施形態のディスプレイの動画の見かけの大きさの一例を示す図。
【図７】本実施形態のディスプレイの折り曲げ角度の第１の例を示す図。
【図８】本実施形態のディスプレイの折り曲げ角度の第２の例を示す図。
【図９】本実施形態の折り曲げ角度が１８０度を超えて可変である端末についての見かけの大きさの一例を示す図。
【図１０】本実施形態の端末と利用者との位置関係の一例を示す。
【図１１】本実施形態の動画の表示位置の一例を示す図。
【図１２】本実施形態の動画の表示位置と折り曲げ部の位置との位置関係の第１の例を示す。
【図１３】本実施形態の動画の表示位置と折り曲げ部の位置との位置関係の第２の例を示す図。
【図１４】本実施形態の端末が備える制御部の動作の一例を示す図。
【図１５】本実施形態の動画の表示位置と折り曲げ部の位置との位置関係の第３の例を示す図。
【図１６】本実施形態の動画の表示位置と折り曲げ部の位置との位置関係の第４の例を示す図。
【図１７】本実施形態のディスプレイに表示される表示倍率ごとの動画の一例を示す図。
【図１８】本実施形態の動画の表示位置と折り曲げ部の位置との位置関係の第５の例を示す図。
【図１９】本実施形態の動画の表示位置と折り曲げ部の位置との位置関係の第６の例を示す図。
【図２０】本実施形態の表示位置が移動される前の動画の一例を示す図。
【図２１】本実施形態の表示位置が移動された後の動画の一例を示す図。
【図２２】本実施形態の動画の表示位置の移動の一例を示す図。
【図２３】本実施形態の表示位置の入れ替え前の動画の表示位置の一例を示す図。
【図２４】本実施形態の表示位置の入れ替え後の動画の表示位置の一例を示す図。
【発明を実施するための形態】
【０００６】
＜法的事項の遵守＞
本明細書に記載の開示は、通信の秘密など、本開示の実施に必要な実施国の法的事項遵守を前提とすることに留意されたい。
【０００７】
本開示に係る表示制御方法、プログラム及び表示装置を実施するための実施形態について、図面を参照して説明する。
【０００８】
＜システム構成＞
図１は、本開示の一実施形態に係る通信システム１の構成を示す。図２は、本開示の一実施形態に係る通信システム１の構成の概要を示す。図１または図２に開示されるように、通信システム１では、ネットワーク３０を介してサーバ１０と、端末２０（端末２０Ａ，端末２０Ｂ，端末２０Ｃ）とが接続される。サーバ１０は、ネットワーク３０を介してユーザが所有する端末２０に、端末２０間でのメッセージの送受信を実現するサービスを提供する。なお、ネットワーク３０に接続される端末２０の数は限定されない。
【０００９】
ネットワーク３０は、１以上の端末２０と、１以上のサーバ１０とを接続する役割を担う。すなわち、ネットワーク３０は、端末２０がサーバ１０に接続した後、データを送受信することができるように接続経路を提供する通信網を意味する。
【００１０】
ネットワーク３０のうちの１つまたは複数の部分は、有線ネットワークや無線ネットワークであってもよいし、そうでなくてもよい。ネットワーク３０は、限定でなく例として、アドホック・ネットワーク（ad hoc network）、イントラネット、エクストラネット、仮想プライベート・ネットワーク（virtual private network:VPN）、ローカル・エリア・ネットワーク（local area network:LAN）、ワイヤレスＬＡＮ（wireless LAN:WLAN）、広域ネットワーク（wide area network:WAN）、ワイヤレスＷＡＮ（wireless WAN:WWAN）、大都市圏ネットワーク（metropolitan area network:MAN）、インターネットの一部、公衆交換電話網（Public Switched Telephone Network:PSTN）の一部、携帯電話網、ＩＳＤＮ（integrated service digital networks）、無線ＬＡＮ、ＬＴＥ（long term evolution）、ＣＤＭＡ（code division multiple access）、ブルートゥース（Bluetooth（登録商標））、衛星通信など、または、これらの２つ以上の組合せを含むことができる。ネットワーク３０は、１つまたは複数のネットワーク３０を含むことができる。
【００１１】
端末２０（端末２０Ａ，端末２０Ｂ，端末２０Ｃ）は、各実施形態において記載する機能を実現できる情報処理端末であればどのような端末であってもよい。端末２０は、限定ではなく例として、スマートフォン、携帯電話（フィーチャーフォン）、コンピュータ（限定でなく例として、デスクトップ、ラップトップ、タブレットなど）、メディアコンピュータプラットホーム（限定でなく例として、ケーブル、衛星セットトップボックス、デジタルビデオレコーダ）、ハンドヘルドコンピュータデバイス（限定でなく例として、ＰＤＡ（personal digital assistant）、電子メールクライアントなど）、ウェアラブル端末（メガネ型デバイス、時計型デバイスなど）、または他種のコンピュータ、またはコミュニケーションプラットホームを含む。また、端末２０は情報処理端末と表現されてもよい。
【００１２】
端末２０Ａ、端末２０Ｂおよび端末２０Ｃの構成は基本的には同一であるため、以下の説明においては、端末２０について説明する。また、必要に応じて、ユーザＸが利用する端末を端末２０Ｘと表現し、ユーザＸまたは端末２０Ｘに対応づけられた、所定のサービスにおけるユーザ情報をユーザ情報Ｘと表現する。なお、ユーザ情報とは、所定のサービスにおいてユーザが利用するアカウントに対応付けられたユーザの情報である。ユーザ情報は、限定でなく例として、ユーザにより入力される、または、所定のサービスにより付与される、ユーザの名前、ユーザのアイコン画像、ユーザの年齢、ユーザの性別、ユーザの住所、ユーザの趣味趣向、ユーザの識別子などのユーザに対応づけられた情報を含み、これらのいずれか一つまたは、組み合わせであってもよいし、そうでなくてもよい。
【００１３】
サーバ１０は、端末２０に対して、所定のサービスを提供する機能を備える。サーバ１０は、各実施形態において記載する機能を実現できる情報処理装置であればどのような装置であってもよい。サーバ１０は、限定でなく例として、サーバ装置、コンピュータ（限定でなく例として、デスクトップ、ラップトップ、タブレットなど）、メディアコンピュータプラットホーム（限定でなく例として、ケーブル、衛星セットトップボックス、デジタルビデオレコーダ）、ハンドヘルドコンピュータデバイス（限定でなく例として、ＰＤＡ、電子メールクライアントなど）、あるいは他種のコンピュータ、またはコミュニケーションプラットホームを含む。また、サーバ１０は情報処理装置と表現されてもよい。サーバ１０と端末２０とを区別する必要がない場合は、サーバ１０と端末２０とは、それぞれ情報処理装置と表現されてもよいし、されなくてもよい。
【００１４】
＜ハードウェア（ＨＷ）構成＞
図１を用いて、通信システム１に含まれる各装置のＨＷ構成について説明する。
【００１５】
（１）端末のＨＷ構成
【００１６】
端末２０は、制御部２１（ＣＰＵ：central processing unit（中央処理装置））、記憶部２８、通信Ｉ／Ｆ２２（インタフェース）、入出力部２３、表示部２４、マイク２５、スピーカ２６、カメラ２７を備える。端末２０のＨＷの各構成要素は、限定でなく例として、バスＢを介して相互に接続される。なお、端末２０のＨＷ構成として、すべての構成要素を含むことは必須ではない。限定ではなく例として、端末２０は、マイク２５、カメラ２７等、個々の構成要素、または複数の構成要素を取り外すような構成であってもよいし、そうでなくてもよい。
【００１７】
通信Ｉ／Ｆ２２は、ネットワーク３０を介して各種データの送受信を行う。当該通信は、有線、無線のいずれで実行されてもよく、互いの通信が実行できるのであれば、どのような通信プロトコルを用いてもよい。通信Ｉ／Ｆ２２は、ネットワーク３０を介して、サーバ１０との通信を実行する機能を有する。通信Ｉ／Ｆ２２は、各種データを制御部２１からの指示に従って、サーバ１０に送信する。また、通信Ｉ／Ｆ２２は、サーバ１０から送信された各種データを受信し、制御部２１に伝達する。また、通信Ｉ／Ｆ２２を単に通信部と表現する場合もある。また、通信Ｉ／Ｆ２２が物理的に構造化された回路で構成される場合には、通信回路と表現する場合もある。
【００１８】
入出力部２３は、端末２０に対する各種操作を入力する装置、および、端末２０で処理された処理結果を出力する装置を含む。入出力部２３は、入力部と出力部が一体化していてもよいし、入力部と出力部に分離していてもよいし、そうでなくてもよい。
【００１９】
入力部は、ユーザからの入力を受け付けて、当該入力に係る情報を制御部２１に伝達できる全ての種類の装置のいずれかまたはその組み合わせにより実現される。入力部は、限定でなく例として、タッチパネル、タッチディスプレイ、キーボード等のハードウェアキーや、マウス等のポインティングデバイス、カメラ（動画像を介した操作入力）、マイク（音声による操作入力）を含む。
【００２０】
出力部は、制御部２１で処理された処理結果を出力することができる全ての種類の装置のいずれかまたはその組み合わせにより実現される。出力部は、限定でなく例として、タッチパネル、タッチディスプレイ、スピーカ（音声出力）、レンズ（限定でなく例として３Ｄ（three dimensions）出力や、ホログラム出力）、プリンターなどを含む。
【００２１】
表示部２４は、フレームバッファに書き込まれた表示データに従って、表示することができる全ての種類の装置のいずれかまたはその組み合わせにより実現される。表示部２４は、限定でなく例として、タッチパネル、タッチディスプレイ、モニタ（限定でなく例として、液晶ディスプレイやＯＥＬＤ（organic electroluminescence display））、ヘッドマウントディスプレイ（HDM:Head Mounted Display）、プロジェクションマッピング、ホログラム、空気中など（真空であってもよいし、そうでなくてもよい）に画像やテキスト情報等を表示可能な装置を含む。なお、これらの表示部２４は、３Ｄで表示データを表示可能であってもよいし、そうでなくてもよい。
【００２２】
入出力部２３がタッチパネルの場合、入出力部２３と表示部２４とは、略同一の大きさおよび形状で対向して配置されていてもよい。
【００２３】
制御部２１は、プログラム内に含まれたコードまたは命令によって実現する機能を実行するために物理的に構造化された回路を有し、限定でなく例として、ハードウェアに内蔵されたデータ処理装置により実現される。そのため、制御部２１は、制御回路と表現されてもよいし、されなくてもよい。
【００２４】
制御部２１は、限定でなく例として、中央処理装置（ＣＰＵ）、マイクロプロセッサ（microprocessor）、プロセッサコア（processor core）、マルチプロセッサ（multiprocessor）、ＡＳＩＣ（application-specific integrated circuit）、ＦＰＧＡ（field programmable gate array）を含む。
【００２５】
記憶部２８は、端末２０が動作するうえで必要とする各種プログラムや各種データを記憶する機能を有する。記憶部２８は、限定でなく例として、ＨＤＤ（hard disk drive）、ＳＳＤ（solid state drive）、フラッシュメモリ、ＲＡＭ（random access memory）、ＲＯＭ（read only memory）など各種の記憶媒体を含む。また、記憶部２８は、メモリ（memory）と表現されてもよいし、されなくてもよい。
【００２６】
端末２０は、プログラムＰを記憶部２８に記憶し、このプログラムＰを実行することで、制御部２１が、制御部２１に含まれる各部としての処理を実行する。つまり、記憶部２８に記憶されるプログラムＰは、端末２０に、制御部２１が実行する各機能を実現させる。また、このプログラムＰは、プログラムモジュールと表現されてもよいし、されなくてもよい。
【００２７】
マイク２５は、音声データの入力に利用される。スピーカ２６は、音声データの出力に利用される。カメラ２７は、動画像データの取得に利用される。
【００２８】
（２）サーバのＨＷ構成
サーバ１０は、制御部１１（ＣＰＵ）、記憶部１５、通信Ｉ／Ｆ１４（インタフェース）、入出力部１２、ディスプレイ１３を備える。サーバ１０のＨＷの各構成要素は、限定でなく例として、バスＢを介して相互に接続される。なお、サーバ１０のＨＷは、サーバ１０のＨＷの構成として、全ての構成要素を含むことは必須ではない。限定ではなく例として、サーバ１０のＨＷは、ディスプレイ１３を取り外すような構成であってもよいし、そうでなくてもよい。
【００２９】
制御部１１は、プログラム内に含まれたコードまたは命令によって実現する機能を実行するために物理的に構造化された回路を有し、限定でなく例として、ハードウェアに内蔵されたデータ処理装置により実現される。
【００３０】
制御部１１は、代表的には中央処理装置（ＣＰＵ）、であり、その他にマイクロプロセッサ、プロセッサコア、マルチプロセッサ、ＡＳＩＣ、ＦＰＧＡであってもよいし、そうでなくてもよい。本開示において、制御部１１は、これらに限定されない。
【００３１】
記憶部１５は、サーバ１０が動作するうえで必要とする各種プログラムや各種データを記憶する機能を有する。記憶部１５は、ＨＤＤ、ＳＳＤ、フラッシュメモリなど各種の記憶媒体により実現される。ただし、本開示において、記憶部１５は、これらに限定されない。また、記憶部１５は、メモリ（memory）と表現されてもよいし、されなくてもよい。
【００３２】
通信Ｉ／Ｆ１４は、ネットワーク３０を介して各種データの送受信を行う。当該通信は、有線、無線のいずれで実行されてもよく、互いの通信が実行できるのであれば、どのような通信プロトコルを用いてもよい。通信Ｉ／Ｆ１４は、ネットワーク３０を介して、端末２０との通信を実行する機能を有する。通信Ｉ／Ｆ１４は、各種データを制御部１１からの指示に従って、端末２０に送信する。また、通信Ｉ／Ｆ１４は、端末２０から送信された各種データを受信し、制御部１１に伝達する。また、通信Ｉ／Ｆ１４を単に通信部と表現する場合もある。また、通信Ｉ／Ｆ１４が物理的に構造化された回路で構成される場合には、通信回路と表現する場合もある。
【００３３】
入出力部１２は、サーバ１０に対する各種操作を入力する装置により実現される。入出力部１２は、ユーザからの入力を受け付けて、当該入力に係る情報を制御部１１に伝達できる全ての種類の装置のいずれかまたはその組み合わせにより実現される。入出力部１２は、代表的にはキーボード等に代表されるハードウェアキーや、マウス等のポインティングデバイスで実現される。なお、入出力部１２、限定でなく例として、タッチパネルやカメラ（動画像を介した操作入力）、マイク（音声による操作入力）を含んでいてもよいし、そうでなくてもよい。ただし、本開示において、入出力部１２は、これらに限定されない。
【００３４】
ディスプレイ１３は、代表的にはモニタ（限定でなく例として、液晶ディスプレイやＯＥＬＤ（organic electroluminescence display））で実現される。なお、ディスプレイ１３は、ヘッドマウントディスプレイ（ＨＤＭ）などであってもよいし、そうでなくてもよい。なお、これらのディスプレイ１３は、３Ｄで表示データを表示可能であってもよいし、そうでなくてもよい。ただし、本開示において、ディスプレイ１３は、これらに限定されない。
サーバ１０は、プログラムＰを記憶部１５に記憶し、このプログラムＰを実行することで、制御部１１が、制御部１１に含まれる各部としての処理を実行する。つまり、記憶部１５に記憶されるプログラムＰは、サーバ１０に、制御部１１が実行する各機能を実現させる。このプログラムＰは、プログラムモジュールと表現されてもよいし、されなくてもよい。
【００３５】
本開示の各実施形態においては、端末２０および／またはサーバ１０のＣＰＵがプログラムＰを実行することにより、実現するものとして説明する。
【００３６】
なお、端末２０の制御部２１、および／または、サーバ１０の制御部１１は、制御回路を有するＣＰＵだけでなく、集積回路（ＩＣ（Integrated Circuit）チップ、ＬＳＩ（Large Scale Integration））等に形成された論理回路（ハードウェア）や専用回路によって各処理を実現してもよいし、そうでなくてもよい。また、これらの回路は、１または複数の集積回路により実現されてよく、各実施形態に示す複数の処理を１つの集積回路により実現されることとしてもよいし、そうでなくてもよい。また、ＬＳＩは、集積度の違いにより、ＶＬＳＩ、スーパーＬＳＩ、ウルトラＬＳＩなどと呼称されることもある。そのため、制御部２１は、制御回路と表現されてもよいし、されなくてもよい。
【００３７】
また、本開示の各実施形態のプログラムＰ（限定ではなく、例として、ソフトウェアプログラム、コンピュータプログラム、またはプログラムモジュール）は、コンピュータに読み取り可能な記憶媒体に記憶された状態で提供されてもよいし、されなくてもよい。
記憶媒体は、「一時的でない有形の媒体」に、プログラムＰを記憶可能である。また、プログラムＰは、本開示の各実施形態の機能の一部を実現するためのものであってもよいし、そうでなくてもよい。さらに、本開示の各実施形態の機能を記憶媒体にすでに記録されているプログラムＰとの組み合わせで実現できるもの、いわゆる差分ファイル（差分プログラム）であってもよいし、そうでなくてもよい。
【００３８】
記憶媒体は、１つまたは複数の半導体ベースの、または他の集積回路（ＩＣ）（限定でなく例として、フィールド・プログラマブル・ゲート・アレイ（ＦＰＧＡ）または特定用途向けＩＣ（ＡＳＩＣ）など）、ハード・ディスク・ドライブ（ＨＤＤ）、ハイブリッド・ハード・ドライブ（ＨＨＤ）、光ディスク、光ディスクドライブ（ＯＤＤ）、光磁気ディスク、光磁気ドライブ、フロッピィ・ディスケット、フロッピィ・ディスク・ドライブ（ＦＤＤ）、磁気テープ、固体ドライブ（ＳＳＤ）、ＲＡＭドライブ、セキュア・デジタル・カード、またはドライブ、任意の他の適切な記憶媒体、またはこれらの２つ以上の適切な組合せを含むことができる。記憶媒体は、適切な場合、揮発性、不揮発性、または揮発性と不揮発性の組合せでよい。なお、記憶媒体はこれらの例に限られず、プログラムＰを記憶可能であれば、どのようなデバイスまたは媒体であってもよい。また、記憶媒体をメモリ（ｍｅｍｏｒｙ）と表現されてもよいし、されなくてもよい。
【００３９】
サーバ１０および／または端末２０は、記憶媒体に記憶されたプログラムＰを読み出し、読み出したプログラムＰを実行することによって、各実施形態に示す複数の機能部の機能を実現することができる。
【００４０】
また、本開示のプログラムＰＤＤは、当該プログラムを伝送可能な任意の伝送媒体（通信ネットワークや放送波等）を介して、サーバ１０および／または端末２０に提供されてもよいし、されなくてもよい。サーバ１０および／または端末２０は、限定でなく例として、インターネット等を介してダウンロードしたプログラムＰを実行することにより、各実施形態に示す複数の機能部の機能を実現する。
【００４１】
また、本開示の各実施形態は、プログラムＰが電子的な伝送によって具現化された、搬送波に埋め込まれたデータ信号の形態でも実現され得る。
サーバ１０および／または端末２０における処理の少なくとも一部は、１以上のコンピュータにより構成されるクラウドコンピューティングにより実現されていてもよいし、そうでなくてもよい。
端末２０における処理の少なくとも一部を、サーバ１０により行う構成としてもよいし、そうでなくてもよい。この場合、端末２０の制御部２１の各機能部の処理のうち少なくとも一部の処理を、サーバ１０で行う構成としてもよいし、そうでなくてもよい。
サーバ１０における処理の少なくとも一部を、端末２０により行う構成としてもよいし、そうでなくてもよい。この場合、サーバ１０の制御部１１の各機能部の処理のうち少なくとも一部の処理を、端末２０で行う構成としてもよいし、そうでなくてもよい。
明示的な言及のない限り、本開示の実施形態における判定の構成は必須でなく、判定条件を満たした場合に所定の処理が動作されたり、判定条件を満たさない場合に所定の処理がされたりしてもよいし、そうでなくてもよい。
【００４２】
なお、本開示のプログラムは、限定でなく例として、ActionScript、JavaScript（登録商標）などのスクリプト言語、Objective-C、Java（登録商標）などのオブジェクト指向プログラミング言語、HTML5などのマークアップ言語などを用いて実装される。
【００４３】
＜第１実施形態＞
第１実施形態は、端末２０のディスプレイＤＰに表示される画像の見かけの大きさ等に基づいて、表示される動画の停止または再生を制御する形態である。
第１実施形態に記載の内容は、他の各実施形態のいずれにも適用可能である。
【００４４】
［端末２０の外観構成］
図３は、本実施形態の端末２０の外観構成の一例である。この端末２０は、表示装置Ｄの一例である。
本実施形態の端末２０は、上述した表示部２４として、折り曲げ式のディスプレイＤＰを備える。一例として、端末２０は、上側ディスプレイＤＰＵと下側ディスプレイＤＰＬとを備える。上側ディスプレイＤＰＵと下側ディスプレイＤＰＬとは、例えばヒンジによって互いに接続されている。上側ディスプレイＤＰＵと下側ディスプレイＤＰＬとの成す角（すなわち、折り曲げ角度θ）が可変にされる。この一例では、折り曲げ角度θが０度の場合、上側ディスプレイＤＰＵと下側ディスプレイＤＰＬとが閉じられた状態である。折り曲げ角度θが１８０度の場合、上側ディスプレイＤＰＵと下側ディスプレイＤＰＬとが水平に（または、一平面に）開かれた状態である。以下の説明において、ディスプレイＤＰの表示面のうち、上側ディスプレイＤＰＵと下側ディスプレイＤＰＬとの接続部分を折り曲げ部ＦＬと称し、ディスプレイＤＰの表示面のうち、折り曲げ部ＦＬ以外の部分を非折り曲げ部ＮＦＬと称する。
また、説明において必要な場合には、三次元直交座標系のｘｙｚの各軸によって方向を示す。
【００４５】
なお、端末２０の折り曲げ角度θは、１８０度を超えるものであってもよいし、超えないものであってもよい。
また、端末２０が折り曲げ式のディスプレイＤＰを備えることは一例であって、端末２０の外観構成はこれに限られない。例えば、端末２０は、柔軟性を有するフィルム状のディスプレイＤＰを備えており、ディスプレイＤＰの表示面の任意の位置において折り曲げが可能であってもよい。この場合、折り曲げ部ＦＬとは、ディスプレイＤＰの表示面のうち、任意に折り曲げられた位置を指す。またこの場合、非折り曲げ部ＮＦＬとは、ディスプレイＤＰの表示面のうち、折り曲げ部ＦＬ以外の部分を指す。
【００４６】
［端末２０のディスプレイＤＰに表示される画像について］
図４は、本実施形態の端末２０のディスプレイＤＰに表示される画像の一例である。この一例において、画像は、利用者Ｕによるｙ軸正方向をスクロール方向ＳＣＤとしたスクロール操作によって、ディスプレイＤＰの下側から上側（つまり、ｙ軸正方向）に表示位置が移動されながら、ディスプレイＤＰに表示される。すなわち、利用者Ｕのスクロール操作により、画像の表示位置は、下側ディスプレイＤＰＬの非折り曲げ部ＮＦＬ、折り曲げ部ＦＬ、上側ディスプレイＤＰＵの非折り曲げ部ＮＦＬの順に変化する。
ここで、スクロール操作とは、一例として、表示対象の元画像の表示サイズがディスプレイＤＰの画面サイズに収まらず、元画像の一部の領域の画像を表示対象の画像としてディスプレイＤＰに表示させる場合においてなされる操作である。具体的には、スクロール操作とは、元画像のうちの表示対象の領域を、画面の上下左右のいずれかの方向、またはこれらの方向を合成したいずれかの方向に移動させることにより、操作前には画面に表示されていなかった元画像の一部を、新たな表示対象領域にして画面に表示させる操作である。換言すれば、スクロール操作とは、元画像のうち、ディスプレイＤＰに表示される画像の範囲を変更する操作である。
画像には、静止画ＡＲＳのコンテンツと、動画ＡＲＶのコンテンツとが含まれる。静止画ＡＲＳのコンテンツは、例えば、文字や写真による記事である。動画ＡＲＶのコンテンツは、例えば、動画による広告である。
【００４７】
これら静止画ＡＲＳ及び動画ＡＲＶは、利用者Ｕのスクロール操作によってディスプレイＤＰに順次表示される。画像のうち、ディスプレイＤＰに表示されていない部分を非表示領域ＩＶＡと称し、ディスプレイＤＰに表示されている部分を表示領域ＶＡと称する。
【００４８】
＜端末の制御部の機能構成＞
再び図１を参照して端末２０が備える制御部２１の機能構成について説明する。端末２０は、制御部２１により実現される機能として、動画情報取得部２１１と、折曲情報取得部２１２と、表示状態算出部２１３と、操作者情報取得部２１４と、姿勢情報取得部２１５と、表示制御部２１６とを備える。
【００４９】
表示制御部２１６は、ディスプレイＤＰに画像の表示を制御する。例えば、表示制御部２１６は、入出力部２３を介して利用者Ｕによるスクロール操作の操作状態（例えば、スクロール操作の有無、操作の方向・速さ・量など）を取得し、取得したスクロール操作の状態に応じて、画像の表示位置を変化させる。表示制御部２１６は、画像の表示位置を動画情報取得部２１１に出力する。例えば、表示制御部２１６は、動画ＡＲＶが表示されている位置に関する動画位置情報ＤＶを、動画情報取得部２１１に出力する。
【００５０】
また、表示制御部２１６は、表示する画像に動画ＡＲＶが含まれている場合に、ディスプレイＤＰに表示される動画ＡＲＶの停止または再生を制御する。動画ＡＲＶは、複数のフレーム画像を含む。動画ＡＲＶの再生とは、動画ＡＲＶを構成する複数のフレーム画像を時系列に順次表示することである。動画ＡＲＶの停止は、動画ＡＲＶを構成する複数のフレーム画像のうちの一部のフレーム画像を継続して表示することである。
【００５１】
動画情報取得部２１１は、サーバ１０の記憶部１５から画像情報ＩＭを取得する。この画像情報ＩＭには、動画ＡＲＶの画像を構成する情報のほか、動画ＡＲＶのピクセル数などのディスプレイＤＰ上における表示サイズや表示面積を示す情報が含まれている。なお、画像情報ＩＭには、静止画ＡＲＳに関する情報が含まれていてもよいし、含まれていなくてもよい。
また、動画情報取得部２１１は、表示制御部２１６が出力する動画位置情報ＤＶを取得する。この動画位置情報ＤＶは、ディスプレイＤＰに表示されている動画ＡＲＶの表示位置を示す情報を含む。すなわち、動画情報取得部２１１は、ディスプレイＤＰに表示されている動画ＡＲＶの表示位置を示す情報を取得する。
【００５２】
折曲情報取得部２１２は、ディスプレイＤＰの折り曲げ状態に関する折曲状態情報ＤＦを取得する。一例として、端末２０は上側ディスプレイＤＰＵと下側ディスプレイＤＰＬとの成す角（折り曲げ角度θ）を検出する角度センサ２９を備えている。折曲情報取得部２１２は、この角度センサ２９が検出した折り曲げ角度θを折曲状態情報ＤＦとして取得する。
上述した表示制御部２１６は、動画情報取得部２１１が取得する動画位置情報ＤＶと折曲情報取得部２１２が取得する折曲状態情報ＤＦとに基づいて、ディスプレイＤＰに表示されている動画ＡＲＶの停止または、再生を制御する。
【００５３】
一例として、表示制御部２１６は、ディスプレイＤＰの折り曲げに基づく、動画ＡＲＶの見かけの大きさＡＰに基づいて、動画ＡＲＶの停止または、再生の制御を行う。
この場合、表示状態算出部２１３は、動画位置情報ＤＶと折曲状態情報ＤＦとに基づいて、ディスプレイＤＰに表示されている動画ＡＲＶの見かけの大きさＡＰを算出する。表示状態算出部２１３は、算出した見かけの大きさＡＰを表示制御部２１６に出力する。
動画ＡＲＶの見かけの大きさＡＰは、動画ＡＲＶのｙ軸方向の上端と下端とを結ぶ線分の長さに基づいて定められていてもよく、他の値によって定められていてもよい。
表示制御部２１６は、表示状態算出部２１３が算出した見かけの大きさＡＰに基づいて、ディスプレイＤＰに表示される動画ＡＲＶの停止または再生を制御する。すなわち、表示制御部２１６は、動画位置情報ＤＶと折曲状態情報ＤＦとに基づいて、ディスプレイＤＰに表示されている動画ＡＲＶの停止または、再生を制御する。
【００５４】
操作者情報取得部２１４は、端末２０を操作する利用者Ｕの端末２０に対する位置、または端末２０に対する利用者Ｕの視線方向ＳＴＤを取得する。一例として、端末２０は、端末２０を操作中の利用者Ｕの顔を撮像可能なカメラ（いわゆるインカメラ）を、上述したカメラ２７として備えている。この場合、操作者情報取得部２１４は、インカメラによって撮像された利用者Ｕの顔の画像に基づいて、利用者Ｕの端末２０に対する位置、または端末２０に対する利用者Ｕの視線方向ＳＴＤを取得する。
【００５５】
姿勢情報取得部２１５は、端末２０の姿勢を示す姿勢情報を取得する。一例として、端末２０は、重力方向に対する端末２０の姿勢を検出可能な姿勢センサ（不図示）を備えている。この場合、姿勢情報取得部２１５は、姿勢センサが検出する端末２０の姿勢を、姿勢情報として取得する。
【００５６】
＜端末の制御部の動作＞
図５を参照して、本実施形態の端末２０が備える制御部２１の動作について説明する。
図５は、本実施形態の端末２０が備える制御部２１の動作の一例を示す。
【００５７】
（ステップＳ１０）制御部２１の動画情報取得部２１１は、サーバ１０から画像情報ＩＭを取得する。上述したようにこの画像情報ＩＭには、動画ＡＲＶの画像を構成する情報のほか、動画ＡＲＶのピクセル数などのディスプレイＤＰ上における表示サイズや表示面積を示す情報が含まれている。
（ステップＳ２０）表示制御部２１６は、動画情報取得部２１１が取得した画像情報ＩＭに基づいて、ディスプレイＤＰに画像を表示する。表示制御部２１６は、表示する画像に動画ＡＲＶが含まれている場合には、動画ＡＲＶのディスプレイＤＰ上の表示位置を示す動画位置情報ＤＶを動画情報取得部２１１に出力する。
（ステップＳ３０）動画情報取得部２１１は、表示制御部２１６から動画位置情報ＤＶを取得する。この動画位置情報ＤＶは、動画ＡＲＶが表示されているディスプレイＤＰ上の位置を示す。
（ステップＳ４０）折曲情報取得部２１２は、上側ディスプレイＤＰＵと下側ディスプレイＤＰＬとの成す角である折り曲げ角度θを取得する。なお、折り曲げ部ＦＬの位置が可変である端末２０の場合には、折曲情報取得部２１２は、折り曲げ位置を示す情報を取得してもよいし、取得しなくてもよい。
（ステップＳ５０）表示状態算出部２１３は、動画位置情報ＤＶと折曲状態情報ＤＦとに基づいて、動画ＡＲＶの表示状態を算出する。具体的には、表示状態算出部２１３は、動画位置情報ＤＶと折曲状態情報ＤＦとに基づいて、ディスプレイＤＰに表示されている動画ＡＲＶの見かけの大きさＡＰを算出する。ここで、図６を参照して、見かけの大きさＡＰの一例について説明する。
【００５８】
図６は、本実施形態のディスプレイＤＰの動画ＡＲＶの見かけの大きさＡＰの一例を示す。図６（Ａ）は、動画ＡＲＶａの一部が折り曲げ部ＦＬに位置する場合の見かけの大きさＡＰａの一例を示す。図６（Ｂ）は、動画ＡＲＶｂが折り曲げ部ＦＬに位置しない場合の見かけの大きさＡＰｂの一例を示す。図６（Ａ）に示す動画ＡＲＶａは、ディスプレイＤＰの上方向（ｙ軸正方向）へのスクロール操作によって、図６（Ｂ）に示す位置（すなわち動画ＡＲＶｂの位置）に移動する。
（１）折り曲げ角度θに基づいて見かけの大きさＡＰを算出する。
動画ＡＲＶの見かけの大きさＡＰは、折り曲げ角度θの大きさに依存して変化する。例えば、動画ＡＲＶが、上側ディスプレイＤＰＵと下側ディスプレイＤＰＬとの間、すなわち折り曲げ部ＦＬを含む位置に表示される場合、折り曲げ角度θの大きさに依存して変化する。また、動画ＡＲＶの見かけの大きさＡＰは、ディスプレイＤＰの動画ＡＲＶが表示される位置に基づく。表示状態算出部２１３は、折り曲げ角度θと、ディスプレイＤＰ上の動画ＡＲＶの表示位置とに基づいて、見かけの大きさＡＰを算出する。
【００５９】
（２）動画ＡＲＶの表示面積に基づいて見かけの大きさＡＰを算出する。
動画ＡＲＶの見かけの大きさＡＰは、動画ＡＲＶのディスプレイＤＰ上での表示面積に依存して変化する。表示状態算出部２１３は、動画ＡＲＶのディスプレイＤＰ上での表示面積と、ディスプレイＤＰ上の動画ＡＲＶの表示位置とに基づいて、見かけの大きさＡＰを算出する。なお、この場合、表示状態算出部２１３は、折り曲げ角度θにさらに基づいて見かけの大きさＡＰを算出してもよいし、しなくてもよい。
【００６０】
上述（１）（２）いずれの場合であっても、動画ＡＲＶの見かけの大きさＡＰは、ディスプレイＤＰが折り曲げられた場合、動画ＡＲＶがディスプレイＤＰに表示される位置に基づき変更される。
上述したように、動画ＡＲＶの表示位置は、例えばスクロール操作によって変化する。ここで、折り曲げ角度θが変化しない場合であっても、動画ＡＲＶが折り曲げ部ＦＬにの位置するか否かによって、見かけの大きさＡＰは変化する。例えば、図６（Ａ）に示すように、動画ＡＲＶが折り曲げ部ＦＬに位置する場合（つまり、動画ＡＲＶａ）の見かけの大きさＡＰａは、動画ＡＲＶが折り曲げ部ＦＬに位置しない場合（つまり、動画ＡＲＶｂ）の見かけの大きさＡＰｂよりも小さい。すなわち、折り曲げ角度θが変化しない場合であっても、動画ＡＲＶの見かけの大きさＡＰは、動画ＡＲＶがディスプレイＤＰに表示される位置に基づいて変更される。
【００６１】
（ステップＳ６０〜ステップＳ１００）
表示制御部２１６は、算出された見かけの大きさＡＰに基づいて、または折り曲げ角度θの大きさに基づいて、動画ＡＲＶの停止または再生を制御する。以下、上述した（１）折り曲げ角度θに基づいて見かけの大きさＡＰを算出する場合を一例にして説明する。
【００６２】
すなわち、折曲状態情報ＤＦは、ディスプレイＤＰの折り曲げによる、折り曲げ角度θの情報が含まれ、表示制御部２１６は、折り曲げ角度θに基づいて、ディスプレイＤＰに表示されている動画ＡＲＶの停止または、再生を制御する。
【００６３】
本実施形態の一例では、表示制御部２１６は、動画ＡＲＶを再生状態、停止状態、再生の終了状態のいずれかに制御する。ここで、再生の終了状態とは、動画ＡＲＶの再生フレームカウンタが初期化された状態、又は動画ＡＲＶの再生に必要な画像データが消去された状態などをいう。
【００６４】
図７は、本実施形態のディスプレイＤＰの折り曲げ角度θの第１の例を示す。折り曲げ角度θ１の場合には、動画ＡＲＶの見かけの大きさＡＰは、同図に示す大きさＡＰ１となる。折り曲げ角度θ１よりも角度が小さい折り曲げ角度θ３の場合には、動画ＡＲＶの見かけの大きさＡＰは、大きさＡＰ３となる。この大きさＡＰ３は、折り曲げ角度θ１の場合の大きさＡＰ１よりも小さい。
【００６５】
図８は、本実施形態のディスプレイＤＰの折り曲げ角度θの第２の例を示す。折り曲げ角度θ１よりも角度が大きい折り曲げ角度θ２の場合には、動画ＡＲＶの見かけの大きさＡＰは、同図に示す大きさＡＰ２となる。この大きさＡＰ２は、折り曲げ角度θ１の場合の大きさＡＰ１よりも大きい。
【００６６】
［再生条件］
本実施形態の一例では、見かけの大きさＡＰが大きさＡＰ１以上の場合（又は大きさＡＰ１より大きい場合）に、再生条件が成立する。例えば、見かけの大きさＡＰが、大きさＡＰ２である場合に、再生条件が成立する。
【００６７】
なお、表示制御部２１６は、折り曲げ角度θが、折り曲げ角度θ１以下または、折り曲げ角度θ１より小さい角度から、折り曲げ角度θ２以上または、折り曲げ角度θ２より大きい角度になった場合、ディスプレイＤＰに表示された動画ＡＲＶを再生する制御を行うとしてもよいし、行わなくてもよい。
【００６８】
［停止条件］
この一例では、見かけの大きさＡＰが大きさＡＰ１以下（又は大きさＡＰ１より小さい）、かつ、大きさＡＰ３以上の場合（又は大きさＡＰ３より大きい場合）に、停止条件が成立する。
すなわち、表示制御部２１６は、折り曲げ角度θが、設定された折り曲げ角度θ１以下または、折り曲げ角度θ１より小さい角度の場合、ディスプレイＤＰに表示されている動画ＡＲＶを停止する制御を行う。
【００６９】
［再生の終了条件］
また、見かけの大きさＡＰが大きさＡＰ３より小さい（又は大きさＡＰ３以下である）場合に、再生の終了条件が成立する。
すなわち、表示制御部２１６は、折り曲げ角度θが、折り曲げ角度θ１よりも角度が小さい折り曲げ角度θ３の場合、動画ＡＲＶの表示を終了する。
【００７０】
他の例として、折り曲げ角度θが１８０度を超えて可変である端末２０の場合の一例を図９に示す。
図９は、本実施形態の折り曲げ角度θが１８０度を超えて可変である端末２０についての見かけの大きさＡＰの一例を示す。上側ディスプレイＤＰＵが下側ディスプレイＤＰＬの基準角度線ＨＬ（つまり、折り曲げ角度θが１８０度）を超えて開かれている場合には、上側ディスプレイＤＰＵ側に表示された動画ＡＲＶは利用者Ｕから視認困難である。この場合の動画ＡＲＶの見かけの大きさＡＰは、大きさＡＰ４である。この場合、表示制御部２１６は、動画ＡＲＶのうち、上側ディスプレイＤＰＵ側に表示される大きさと、下側ディスプレイＤＰＬ側に表示される大きさとの割合に基づいて、動画ＡＲＶの停止または再生を制御してもよいし、しなくてもよい。
すなわち、表示制御部２１６は、折り曲げられたディスプレイＤＰのうち、動画ＡＲＶが表示されている位置と、端末２０の利用者Ｕとの位置関係に基づき、ディスプレイＤＰに表示されている動画ＡＲＶの停止または、再生を制御する。
【００７１】
換言すれば、表示制御部２１６は、動画ＡＲＶの見かけの大きさＡＰが、設定された大きさ以上、又は設定された大きさを超える場合、動画ＡＲＶを再生させる。また、表示制御部２１６は、動画ＡＲＶの見かけの大きさＡＰが、設定された大きさ以下、又は設定された大きさより小さい場合、動画ＡＲＶを停止させる。なお、ここでの大きさとは、動画ＡＲＶの面積や、動画ＡＲＶの一辺の長さなどを含む概念である。
【００７２】
（ステップＳ６０〜ステップＳ１００）図５に戻り、表示制御部２１６は、動画ＡＲＶの再生条件、停止条件、再生の終了条件のいずれが成立しているか否かを判定し、動画ＡＲＶの再生・停止・再生の終了を制御する。
【００７３】
（ステップＳ１１０）表示制御部２１６は、画像の表示終了の条件が成立するまで（例えば、利用者Ｕによる表示終了の操作が行われるまで）、ステップＳ１０からステップＳ１００までの各ステップをくり返し実行する。
【００７４】
＜第１実施形態の変形例（１）端末２０と利用者Ｕとの位置関係に基づく制御＞
表示制御部２１６は、端末２０と利用者Ｕとの位置関係に基づいて、動画ＡＲＶの停止または再生を制御してもよい。
図１０は、本実施形態の端末２０と利用者Ｕとの位置関係の一例を示す。図１０（Ａ）は、本実施形態の端末２０と利用者Ｕとの位置関係の第１の例を示す。図１０（Ｂ）は、本実施形態の端末２０と利用者Ｕとの位置関係の第２の例を示す。
上述したように操作者情報取得部２１４は、カメラ２７が撮像した利用者Ｕの画像に基づいて、端末２０を操作する利用者Ｕの端末２０に対する位置、または端末２０に対する利用者Ｕの視線方向ＳＴＤを取得する。表示制御部２１６は、端末２０の利用者Ｕの視線方向ＳＴＤまたは、端末２０と利用者Ｕとの位置関係に基づいて、ディスプレイＤＰに表示されている動画ＡＲＶの停止、または再生を制御する。
一例として、表示制御部２１６は、端末２０の利用者Ｕの視線方向ＳＴＤと直交する方向を見かけの大きさＡＰの方向として、見かけの大きさＡＰを算出する。
ここで、端末２０の利用者Ｕの視線方向ＳＴＤが変化すると、視線方向ＳＴＤの変化に応じて見かけの大きさＡＰが変化する。例えば、図１０（Ａ）に示す視線方向ＳＴＤ１の場合の見かけの大きさＡＰｃは、図１０（Ｂ）に示す視線方向ＳＴＤ２の場合の見かけの大きさＡＰｄに比べて小さい。表示制御部２１６は、端末２０の利用者Ｕの視線方向ＳＴＤまたは、端末２０と利用者Ｕとの位置関係に応じて変化する見かけの大きさＡＰに基づいて、ディスプレイＤＰに表示されている動画ＡＲＶの停止、または再生を制御する。
なお、表示制御部２１６は、利用者Ｕの視線方向ＳＴＤに代えて、又は加えて、利用者Ｕの頭の位置、顔の位置や眼ＥＹの位置に基づいて、端末２０と利用者Ｕとの位置関係を算出してもよく、算出しなくてもよい。
【００７５】
＜第１実施形態の変形例（２）端末２０の姿勢に基づく制御＞
表示制御部２１６は、端末２０の姿勢に基づいて、ディスプレイＤＰに表示されている動画ＡＲＶの停止または、再生を制御してもよく、しなくてもよい。
上述したように、ディスプレイＤＰに表示される動画ＡＲＶの見かけの大きさＡＰは、端末２０と利用者Ｕとの位置関係に応じて変化する。本変形例の表示制御部２１６は、端末２０の姿勢（例えば、重力方向に対するディスプレイＤＰの表示方向）が、端末２０と利用者Ｕとの位置関係を示すことを利用して、動画ＡＲＶの停止または再生を制御する。
具体的には、姿勢情報取得部２１５は、端末２０の姿勢を示す姿勢情報を取得する。表示制御部２１６は、姿勢情報取得部２１５が取得する端末２０の姿勢情報に基づいて、端末２０と利用者Ｕとの位置関係を推定することにより、動画ＡＲＶの停止または再生を制御してもよい。
【００７６】
＜第１実施形態の変形例（３）非折り曲げ部ＮＦＬに動画ＡＲＶを表示＞
図１１は、本実施形態の動画ＡＲＶの表示位置の一例を示す。表示制御部２１６は、利用者Ｕによるスクロール操作の結果、動画ＡＲＶが折り曲げ部ＦＬの位置に表示されることになる場合には、動画ＡＲＶの表示位置を非折り曲げ部ＮＦＬに移動させてもよく、させなくてもよい。すなわち、表示制御部２１６は、ディスプレイＤＰの折り曲げ部ＦＬの位置とは異なる位置に、動画ＡＲＶに関連する画像を表示させてもよく、させなくてもよい。
例えば、同図に示すように、表示制御部２１６は、動画ＡＲＶ１１〜ＡＲＶ１３のいずれかの表示位置に、動画ＡＲＶを表示させる。これらの表示位置は、非折り曲げ部ＮＦＬである。
なお、動画ＡＲＶに関連する画像は、利用者Ｕの操作を受け付ける画像を含む。一例として、動画ＡＲＶに関連する画像は、操作することにより所定のＵＲＬへの接続を促す、動画によるバナー広告である。表示制御部２１６は、動画ＡＲＶに関連する画像（例えば、バナー広告）をディスプレイＤＰの表示位置のうち、折り曲げ部ＦＬから離れた位置に表示させる。
【００７７】
＜第１実施形態の効果＞
折り曲げ式のディスプレイＤＰに画像を表示させる場合、折り曲げ部ＦＬに表示される画像は、他の部分に表示される画像に比べて利用者Ｕからの視認性が低い。例えば、表示される画像が広告動画である場合には、折り曲げ部ＦＬに表示される広告の視聴率が他の部分に比べて低く、広告効果の向上が困難であった。
本実施形態の表示装置Ｄによれば、ディスプレイＤＰに表示される動画ＡＲＶの表示位置と、ディスプレイＤＰの折り曲げ状態とに基づいて、動画ＡＲＶの停止又は再生の制御を行う。
このように構成された表示装置Ｄによれば、利用者Ｕからの動画ＡＲＶの見え方に基づいて動画ＡＲＶを停止又は再生することができる。例えば、表示装置Ｄによれば、動画ＡＲＶが利用者Ｕから見えやすい状態になっている場合に動画ＡＲＶを再生し、動画ＡＲＶが利用者Ｕから見えにくい状態になっている場合には動画ＡＲＶを停止する。したがって、本実施形態の表示装置Ｄによれば、利用者Ｕからの動画ＡＲＶの視認性に基づいて、動画ＡＲＶの停止・再生を制御することができる。
【００７８】
また、本実施形態の表示装置Ｄは、ディスプレイＤＰに表示される動画ＡＲＶを利用者Ｕから見た場合の動画ＡＲＶの見かけの大きさＡＰに基づいて、動画ＡＲＶの停止又は再生の制御を行う。したがって、本実施形態の表示装置Ｄによれば、利用者Ｕからの動画ＡＲＶの見かけの大きさに応じて変化する視認性に基づいて、動画ＡＲＶの停止・再生を制御することができる。
【００７９】
また、本実施形態の表示装置Ｄは、動画ＡＲＶの見かけの大きさが設定された大きさ以下または、設定された大きさより小さい場合に、動画の再生を停止させる。このように構成された表示装置Ｄによれば、利用者Ｕからの動画ＡＲＶの視認性が低下した場合には動画ＡＲＶの再生を停止するため、視認性が低下している状態において動画ＡＲＶの再生を継続する場合に比べて、利用者Ｕに対する動画ＡＲＶの提示効果を向上させることができる。また、このように構成された表示装置Ｄによれば、動画ＡＲＶを再生するための電力やメモリなどのリソースの消費を低減することができる。
【００８０】
また、本実施形態の表示装置Ｄは、動画ＡＲＶの見かけの大きさを動画ＡＲＶの表示位置に基づいて判定する。このように構成された表示装置Ｄによれば、動画ＡＲＶの見かけの大きさを簡易に判定することができるため、動画ＡＲＶを再生するための電力やメモリなどのリソースの消費を低減することができる。
【００８１】
また、本実施形態の表示装置Ｄは、表示領域が折り曲げられた場合に、動画ＡＲＶの見かけの大きさを動画ＡＲＶの表示位置に基づいて変更する。このように構成された表示装置Ｄによれば、例えば、ディスプレイＤＰの折り曲げ角度θが変化して動画ＡＲＶの見かけの大きさが変化した場合であっても、利用者Ｕによる動画ＡＲＶの視認性の低下を抑止することができる。
【００８２】
また、本実施形態の表示装置Ｄは、動画ＡＲＶの見かけの大きさを動画ＡＲＶの表示面積に基づいて判定する。このように構成された表示装置Ｄによれば、動画ＡＲＶの見かけの大きさを簡易に判定することができるため、動画ＡＲＶを再生するための電力やメモリなどのリソースの消費を低減することができる。
【００８３】
また、本実施形態の表示装置Ｄは、ディスプレイＤＰの折り曲げ角度θに基づいて、動画ＡＲＶの停止又は再生の制御を行う。このように構成された本実施形態の表示装置Ｄによれば、利用者Ｕからの動画ＡＲＶの見かけの大きさに応じて変化する視認性に基づいて、動画ＡＲＶの停止・再生を制御することができる。
【００８４】
また、本実施形態の表示装置Ｄは、ディスプレイＤＰの折り曲げ角度θが第１角度以下または、第１角度より小さい角度である場合に、動画ＡＲＶを停止する制御を行う。このように構成された表示装置Ｄによれば、利用者Ｕからの動画ＡＲＶの視認性が低下した場合には動画ＡＲＶの再生を停止するため、視認性が低下している状態において動画ＡＲＶの再生を継続する場合に比べて、利用者Ｕに対する動画ＡＲＶの提示効果を向上させることができる。また、このように構成された表示装置Ｄによれば、動画ＡＲＶを再生するための電力やメモリなどのリソースの消費を低減することができる。
【００８５】
また、本実施形態の表示装置Ｄは、ディスプレイＤＰの折り曲げ角度θが第１角度以下または、第１角度より小さい角度から、第１角度以上の第２角度以上になった場合または、第２角度より大きい角度になった場合に、動画ＡＲＶを再生する制御を行う。このように構成された表示装置Ｄによれば、利用者Ｕからの動画ＡＲＶの視認性が向上した場合には動画ＡＲＶを再生するため、利用者Ｕがみずから動画ＡＲＶの再生操作を行う場合に比べて、操作を簡便にすることができる。また、このように構成された表示装置Ｄによれば、動画ＡＲＶの再生操作を検出するための電力やメモリなどのリソースの消費を低減することができる。
【００８６】
また、本実施形態の表示装置Ｄは、ディスプレイＤＰの折り曲げ角度θが第１角度以下または、第１角度より小さい角度である場合に、動画ＡＲＶの表示を終了する制御を行う。このように構成された表示装置Ｄによれば、利用者Ｕからの動画ＡＲＶの視認性が低下した場合には動画ＡＲＶの再生を停止するため、視認性が低下している状態において動画ＡＲＶの再生を継続する場合に比べて、利用者Ｕに対する動画ＡＲＶの提示効果を向上させることができる。また、このように構成された表示装置Ｄによれば、動画ＡＲＶを再生するための電力やメモリなどのリソースの消費を低減することができる。
【００８７】
また、本実施形態の表示装置Ｄは、動画ＡＲＶの表示位置と、利用者Ｕとの位置関係に基づいて、動画ＡＲＶを停止または再生を制御する。このように構成された表示装置Ｄによれば、利用者Ｕからの動画ＡＲＶの視認性を、動画ＡＲＶの表示位置と利用者Ｕとの位置関係に基づいて判定するため、動画ＡＲＶの視認性の程度を精度よく判定することができる。
【００８８】
また、本実施形態の表示装置Ｄは、利用者Ｕの視線方向または、表示装置Ｄと利用者Ｕとの位置関係に基づいて、動画ＡＲＶを停止または再生を制御する。このように構成された表示装置Ｄによれば、利用者Ｕからみた動画ＡＲＶの視認性の程度を精度よく判定することができる。
【００８９】
また、本実施形態の表示装置Ｄは、表示装置Ｄの姿勢に基づいて、動画ＡＲＶを停止または再生を制御する。このように構成された表示装置Ｄによれば、簡易な仕組みによって動画ＡＲＶの視認性の程度を判定することができる。
【００９０】
また、本実施形態の表示装置Ｄは、表示領域の折り曲げ部ＦＬとは異なる位置に、操作画像を表示する。このように構成された表示装置Ｄによれば、操作の困難な折り曲げ部ＦＬに操作画像が表示される場合に比べて、利用者Ｕによる操作性を向上させることができる。
【００９１】
また、本実施形態の表示装置Ｄにおいて動画の停止は、動画ＡＲＶを構成する複数のフレーム画像のうちの一部のフレーム画像を継続して表示すること（例えば、一時停止状態または、ストップモーションにすること）である。このように構成された表示装置Ｄによれば、動画ＡＲＶの再生が可能な状態になった場合には、動画ＡＲＶの最初のフレームからではなく、再生が停止された途中のフレームから再生を開始することができ、動画ＡＲＶの提示効果を高めることができる。また、このように構成された表示装置Ｄによれば、動画ＡＲＶを最初から再生する場合に比べて再生時間を短縮することができるため、動画ＡＲＶを再生するための電力やメモリなどのリソースの消費を低減することができる。
【００９２】
また、本実施形態の表示装置Ｄは、動画ＡＲＶの停止・再生に加え、見かけの大きさＡＰに基づく再生の終了の制御を行う。このように構成された表示装置Ｄによれば、利用者Ｕからの動画ＡＲＶの視認性が極めて低下した場合には、動画ＡＲＶを再生するための電力やメモリなどのリソースの消費を低減することができる。
【００９３】
また、本実施形態の表示装置Ｄは、ディスプレイＤＰの折り曲げ角度θに基づいて、動画ＡＲＶの停止・再生を制御する。一般に、動画ＡＲＶの見かけの大きさＡＰの算出には困難が伴うことがあるが、このように構成された表示装置Ｄによれば、動画ＡＲＶの見かけの大きさＡＰをディスプレイＤＰの折り曲げ角度θに置き換えて取得するため、比較的簡易な構成により、動画ＡＲＶの停止・再生を制御することができる。
また、本実施形態の表示装置Ｄは、ディスプレイＤＰの折り曲げ角度θの変化に伴って、動画ＡＲＶの停止・再生を制御する。このため、動画ＡＲＶの表示中においてディスプレイＤＰの折り曲げ角度θを変化させて利用者Ｕの視認性に変化が生じた場合であっても、利用者Ｕの視認性の変化に追従させて動画ＡＲＶの停止・再生を制御することができる。
【００９４】
また、本実施形態の表示装置Ｄは、利用者Ｕの視線や顔の位置を検出した結果に基づいて、又は表示装置Ｄの姿勢に基づいて、動画ＡＲＶの停止又は再生の制御を行う。上述したように、ディスプレイＤＰに表示される動画ＡＲＶの見かけの大きさＡＰは、端末２０と利用者Ｕとの位置関係に応じて変化する。本変形例の表示制御部２１６は、利用者Ｕの視線や顔の位置が端末２０と利用者Ｕとの位置関係を示すこと、または端末２０の姿勢が、端末２０と利用者Ｕとの位置関係を示すことを利用して、動画ＡＲＶの停止または再生を制御する。このように構成された表示装置Ｄによれば、表示装置Ｄと利用者Ｕとの相対位置が変化して、利用者Ｕの視認性に変化が生じた場合であっても、利用者Ｕの視認性の変化に追従させて動画ＡＲＶの停止・再生を制御することができる。
【００９５】
また、本実施形態の表示装置Ｄは、動画ＡＲＶが利用者Ｕの操作対象の画像（例えば、バナー広告など）である場合、画像について折り曲げ部ＦＬの位置への表示を避け、非折り曲げ部ＮＦＬに表示させるように制御する。一般に折り曲げ部ＦＬは利用者ＵによるディスプレイＤＰの表示面に対する操作がしづらい。したがって、利用者Ｕの操作対象の画像が折り曲げ部ＦＬに表示されると、利用者Ｕにとって操作がしづらい状態となる。本実施形態のように構成された表示装置Ｄによれば、利用者Ｕの操作の利便性を向上させることができる。本実施形態の表示装置Ｄによれば、利用者Ｕの画像に対する操作性の向上するため、例えば画像がバナー広告である場合には、広告効果を向上させることができる。
【００９６】
また、本実施形態の表示装置Ｄは、利用者Ｕが視認できない位置に動画ＡＲＶが表示される場合には、動画ＡＲＶの再生を停止する。例えば、図９に示したように、上側ディスプレイＤＰＵが下側ディスプレイＤＰＬの基準角度線ＨＬ（つまり、折り曲げ角度θが１８０度）を超えて開かれている場合には、上側ディスプレイＤＰＵ側に表示された動画ＡＲＶは利用者Ｕから視認困難である。一般に、動画ＡＲＶを再生する場合において、利用者Ｕに視聴されないうちに動画ＡＲＶを最後まで再生してしまうと動画ＡＲＶの視聴効果（例えば、動画ＡＲＶが広告動画である場合には、広告効果）が低減してしまうことがある。本実施形態のように構成された表示装置Ｄによれば、表示装置Ｄと利用者Ｕとの相対位置が変化して、利用者Ｕの視認性が低下した場合には動画ＡＲＶの再生を停止させるため、動画ＡＲＶの視聴効果の低減を抑えることができる。
【００９７】
＜第２実施形態＞
第２実施形態について説明する。第２実施形態は、端末２０のディスプレイＤＰに表示される動画ＡＲＶの表示位置と、ディスプレイＤＰの折り曲げ部ＦＬの位置とに基づいて、表示される動画の停止または再生を制御する形態である。
なお、第１実施形態と同様の構成及び動作については同一の符号を付してその説明を省略する。第２実施形態に記載の内容は、他の各実施形態のいずれにも適用可能である。
【００９８】
本実施形態の表示制御部２１６は、動画位置情報ＤＶと折曲位置情報ＤＦＬとに基づいて、ディスプレイＤＰに表示されている動画ＡＲＶを制御する。具体例について図１２を参照して説明する。
【００９９】
図１２は、本実施形態の動画ＡＲＶの表示位置と折り曲げ部ＦＬの位置との位置関係の第１の例を示す。動画ＡＲＶには、動画基準位置情報ＬＣが対応付けられている。動画基準位置情報ＬＣの位置は、スクロール操作によって動画ＡＲＶの表示位置が移動することに伴って移動する。すなわち、動画基準位置情報ＬＣは、ディスプレイＤＰ上における動画ＡＲＶの表示位置を示す。この一例では、動画ＡＲＶのｙ軸方向の上端に、上側動画基準位置情報ＬＣＵが設定されている。すなわち、上側動画基準位置情報ＬＣＵは、ディスプレイＤＰ上に表示された動画ＡＲＶの上端の位置を示す。動画情報取得部２１１は、上側動画基準位置情報ＬＣＵを、動画位置情報ＤＶとして取得する。
なお、ここでは動画基準位置情報ＬＣが上側動画基準位置情報ＬＣＵ（すなわち、動画ＡＲＶの上端の位置を示す情報）である場合を一例にして説明するが、これに限られない。動画基準位置情報ＬＣは、例えば、動画ＡＲＶの下端の位置を示す情報であってもよいし、動画ＡＲＶの上端と下端との間の中点（動画ＡＲＶの中心点）の位置を示す情報であってもよいし、動画ＡＲＶの他の位置を示す情報であってもよい。
表示状態算出部２１３は、上側動画基準位置情報ＬＣＵが示す動画ＡＲＶの表示位置と、折り曲げ部ＦＬの位置との距離（同図の例では距離Ｌ１）を算出する。算出された距離Ｌ１が所定値以下である場合、又は所定値より小さい場合には、表示状態算出部２１３は、動画ＡＲＶが折り曲げ部ＦＬの位置に表示されていると算出（判定）する。動画ＡＲＶが折り曲げ部ＦＬの位置に表示されていると算出（判定）された場合、表示制御部２１６は、後述する再生条件が成立していると判定し、動画ＡＲＶの再生を実行する。なお、この所定値は、動画ＡＲＶの表示高さ（距離ＬＶ）に基づいて定められていてもよく、定められていなくてもよい。例えば、所定値を距離ＬＶとし、表示状態算出部２１３は、上側動画基準位置情報ＬＣＵが示す動画ＡＲＶの表示位置と、折り曲げ部ＦＬの位置との距離Ｌ１が、距離ＬＶ以下である場合、又は距離ＬＶより小さい場合には、動画ＡＲＶが折り曲げ部ＦＬの位置に表示されていると算出（判定）する。動画ＡＲＶが折り曲げ部ＦＬの位置に表示されていると算出（判定）された場合、表示制御部２１６は、停止条件が成立していると判定し、動画ＡＲＶの再生を停止する制御を行う。
【０１００】
図１３は、本実施形態の動画ＡＲＶの表示位置と折り曲げ部ＦＬの位置との位置関係の第２の例を示す。表示状態算出部２１３は、上側動画基準位置情報ＬＣＵが示す動画ＡＲＶの表示位置と、折り曲げ部ＦＬの位置との距離（同図の例では距離Ｌ２）を算出する。ここで、距離Ｌ２は、距離Ｌ１よりも大きい。算出された距離Ｌ２が所定値以上である場合、又は所定値より大きい場合には、表示状態算出部２１３は、動画ＡＲＶが折り曲げ部ＦＬの位置に表示されていない（すなわち、動画ＡＲＶが非折り曲げ部ＮＦＬに表示されている）と算出（判定）する。
【０１０１】
＜端末の制御部の動作＞
図１４を参照して、本実施形態の端末２０が備える制御部２１の動作について説明する。
図１４は、本実施形態の端末２０が備える制御部２１の動作の一例を示す。
【０１０２】
（ステップＳ２１０）制御部２１の動画情報取得部２１１は、サーバ１０から画像情報ＩＭを取得する。上述したようにこの画像情報ＩＭには、動画ＡＲＶの画像を構成する情報のほか、動画ＡＲＶのピクセル数などのディスプレイＤＰ上における表示サイズや表示面積を示す情報が含まれている。
（ステップＳ２２０）表示制御部２１６は、動画情報取得部２１１が取得した画像情報ＩＭに基づいて、ディスプレイＤＰに画像を表示する。表示制御部２１６は、表示する画像に動画ＡＲＶが含まれている場合には、動画ＡＲＶのディスプレイＤＰ上の表示位置を示す動画位置情報ＤＶを動画情報取得部２１１に出力する。
（ステップＳ２３０）動画情報取得部２１１は、表示制御部２１６から動画位置情報ＤＶを取得する。この動画位置情報ＤＶは、動画ＡＲＶが表示されているディスプレイＤＰ上の位置を示す。具体的には、動画情報取得部２１１は、動画ＡＲＶの表示位置を示す動画基準位置情報ＬＣを、上述した動画位置情報ＤＶとして取得する。
（ステップＳ２４０）折曲情報取得部２１２は、上側ディスプレイＤＰＵと下側ディスプレイＤＰＬとの間の位置、すなわちディスプレイＤＰの折り曲げ部ＦＬの位置を取得する。折曲情報取得部２１２は、取得した折り曲げ部ＦＬの位置を折曲状態情報ＤＦとして表示状態算出部２１３に出力する。
（ステップＳ２５０）表示状態算出部２１３は、動画位置情報ＤＶと折曲状態情報ＤＦとに基づいて、動画ＡＲＶの表示状態を算出する。具体的には、表示状態算出部２１３は、動画位置情報ＤＶと折曲状態情報ＤＦとに基づいて、ディスプレイＤＰに表示されている動画ＡＲＶの位置と、折り曲げ部ＦＬの位置との関係を算出する。
【０１０３】
（ステップＳ２６０〜ステップＳ３００）表示制御部２１６は、動画ＡＲＶの再生条件、停止条件、再生の終了条件のいずれが成立しているか否かを判定し、動画ＡＲＶの再生・停止・再生の終了を制御する。
具体的には、表示制御部２１６は、ステップＳ２５０において算出された動画ＡＲＶと折り曲げ部ＦＬとの位置関係に基づき、動画ＡＲＶの再生条件、停止条件、再生の終了条件のいずれが成立しているか否かを判定する。例えば、表示制御部２１６は、動画ＡＲＶが折り曲げ部ＦＬに位置しない場合には、再生条件が成立しているとして、動画ＡＲＶを再生する（ステップＳ２７０）。また、表示制御部２１６は、動画ＡＲＶが折り曲げ部ＦＬに位置している場合には、動画の停止条件が成立しているとして、動画ＡＲＶを停止する（ステップＳ２９０）。
なお、表示制御部２１６は、ディスプレイＤＰの折り曲げ状態が所定の場合には、動画ＡＲＶの再生を終了してもよく、しなくてもよい。例えば、ステップＳ２４０において折り曲げ角度θが取得されている場合がある。この場合において、折り曲げ角度θがしきい値角度以下またはしきい値角度未満である場合には、表示制御部２１６は、動画ＡＲＶの再生を終了する（ステップＳ３００）。
【０１０４】
（ステップＳ３１０）表示制御部２１６は、画像の表示終了の条件が成立するまで（例えば、利用者Ｕによる表示終了の操作が行われるまで）、ステップＳ２１０からステップＳ３００までの各ステップをくり返し実行する。
【０１０５】
すなわち、本実施形態の動画情報取得部２１１は、ディスプレイＤＰにおいて動画ＡＲＶが表示されている位置に関する動画位置情報ＤＶを取得する。
折曲情報取得部２１２は、ディスプレイＤＰの折り曲げ部ＦＬの位置に関する折曲位置情報ＤＦＬを取得する。
表示制御部２１６は、動画位置情報ＤＶと折曲位置情報ＤＦＬとに基づいて、ディスプレイＤＰに表示されている動画ＡＲＶを制御する。
【０１０６】
表示制御部２１６は、動画位置情報ＤＶが示す動画ＡＲＶの表示位置と、折曲位置情報ＤＦＬが示す折り曲げ部ＦＬの位置とが、距離Ｌ１（第１位置関係）の場合、表示制御部２１６は、停止条件が成立していると判定し、動画ＡＲＶを停止させる制御を行う。また、表示制御部２１６は、動画位置情報ＤＶが示す動画ＡＲＶの表示位置と、折曲位置情報ＤＦＬが示す折り曲げ部ＦＬの位置とが、第１位置関係より位置関係が遠い距離Ｌ２（第２位置関係）の場合、表示制御部２１６は、再生条件が成立していると判定し、動画ＡＲＶを再生する制御を行う
つまり、表示制御部２１６は、動画ＡＲＶが折り曲げ部ＦＬの位置に表示されている場合には、動画ＡＲＶを停止させ、動画ＡＲＶが非折り曲げ部ＮＦＬの位置に表示されているには、動画ＡＲＶを再生させる。
【０１０７】
ここで、表示制御部２１６は、動画位置情報ＤＶが示す動画ＡＲＶの表示位置と、折曲位置情報ＤＦＬが示す折り曲げ部ＦＬの位置との位置関係に基づいて、動画ＡＲＶの停止または、再生の制御を行う。
【０１０８】
＜第２実施形態の変形例（１）＞
上述では、動画基準位置情報ＬＣが動画ＡＲＶの表示位置の上端を示す情報である場合を一例にして説明したが、これに限られない。動画基準位置情報ＬＣは、スクロール操作による動画ＡＲＶの表示位置の移動に応じて移動すればよく、動画ＡＲＶの表示位置から離れた位置に設定されていてもよい。
図１５は、本実施形態の動画ＡＲＶの表示位置と折り曲げ部ＦＬの位置との位置関係の第３の例を示す。同図に示す例の場合、上側動画基準位置情報ＬＣＵａは、動画ＡＲＶの上端の位置から距離Ｌ１１離れた位置に設定されている。上側動画基準位置情報ＬＣＵａは、スクロール操作による動画ＡＲＶの表示位置の移動に応じて、その位置が移動する。
図１６は、本実施形態の動画ＡＲＶの表示位置と折り曲げ部ＦＬの位置との位置関係の第４の例を示す。スクロール操作により、動画ＡＲＶの表示位置が上方（ｙ軸正方向）に移動すると、上側動画基準位置情報ＬＣＵａの位置も同様に上方に移動する。ここで、動画ＡＲＶの上端が折り曲げ部ＦＬに掛かる位置である場合、上側動画基準位置情報ＬＣＵａの位置が、上側折曲基準位置情報ＲＦＵが示す位置（例えば、上側ディスプレイＤＰＵの上端）に掛かる位置関係である。すなわち、上側動画基準位置情報ＬＣＵａが、上側折曲基準位置情報ＲＦＵに掛かる位置に移動したことは、動画ＡＲＶの表示位置が折り曲げ部ＦＬの位置になることを示す。
【０１０９】
ここで、上側動画基準位置情報ＬＣＵａは、動画ＡＲＶが表示されているディスプレイＤＰ上の位置とは異なる、動画ＡＲＶが表示されている位置の基準となる情報である。この上側動画基準位置情報ＬＣＵａは、上述した動画位置情報ＤＶに含まれる。また、上側折曲基準位置情報ＲＦＵは、折り曲げ部ＦＬ（折り曲げ部ＦＬ（折り曲げ位置））のディスプレイＤＰ上の位置とは異なる、折り曲げ部ＦＬ（折り曲げ位置）の基準となる情報である。この上側折曲基準位置情報ＲＦＵは、上述した折曲位置情報ＤＦＬに含まれる。
この一例において表示制御部２１６は、動画基準位置情報ＬＣと、上側折曲基準位置情報ＲＦＵとに基づいて、ディスプレイＤＰに表示されている動画ＡＲＶを制御する。
【０１１０】
具体的には、動画基準位置情報ＬＣは、ディスプレイＤＰ上の折り曲げ部ＦＬの位置と、ディスプレイＤＰの上の動画ＡＲＶの位置とが設定された範囲内に含まれる場合において、動画基準位置情報ＬＣと折曲基準位置情報ＲＦ（例えば、上側折曲基準位置情報ＲＦＵ）とが設定された範囲内に含まれる位置に設定されている。表示制御部２１６は、動画基準位置情報ＬＣと折曲基準位置情報ＲＦ（例えば、上側折曲基準位置情報ＲＦＵ）とが設定された範囲（例えば、ｙ軸方向の所定幅）内に含まれる場合、表示制御部２１６は、停止条件が成立していると判定し、動画ＡＲＶを停止する制御を行う。一方、表示制御部２１６は、動画基準位置情報ＬＣと折曲基準位置情報ＲＦ（例えば、上側折曲基準位置情報ＲＦＵ）とが設定された範囲（例えば、ｙ軸方向の所定幅）内に含まれない場合、表示制御部２１６は、再生条件が成立していると判定し、動画ＡＲＶを再生する制御を行う。
【０１１１】
なお、ディスプレイＤＰ上における動画ＡＲＶの表示倍率が変更される場合には、動画ＡＲＶと動画基準位置情報ＬＣとの距離Ｌが表示倍率に応じて変更されてもよく、されなくてもよい。
図１７は、本実施形態のディスプレイＤＰに表示される表示倍率ごとの動画ＡＲＶの一例を示す。図１７（Ａ）は、本実施形態の表示倍率が比較的大きい場合の動画ＡＲＶの一例を示す。図１７（Ｂ）は、本実施形態の表示倍率が比較的小さい場合の動画ＡＲＶの一例を示す。
図１７（Ａ）に示すように、表示制御部２１６は、動画ＡＲＶの表示倍率が比較的大きい場合（すなわち、動画ＡＲＶＺ１が表示される場合）、動画ＡＲＶＺ１と、上側動画基準位置情報ＬＣＵａとの距離を、距離ＬＺ１とする。
図１７（Ｂ）に示すように、表示制御部２１６は、動画ＡＲＶの表示倍率が比較的小さい場合（すなわち、動画ＡＲＶＺ２が表示される場合）、動画ＡＲＶＺ２と、上側動画基準位置情報ＬＣＵａとの距離を、距離ＬＺ２とする。ここで、距離ＬＺ２は、距離ＬＺ１よりも短い。つまり、表示制御部２１６は、動画ＡＲＶの表示倍率に応じて、動画ＡＲＶと動画基準位置情報ＬＣとの距離Ｌを変更する。
すなわち、表示制御部２１６は、ディスプレイＤＰに表示される画像の表示倍率に基づいて、動画ＡＲＶの位置と動画基準位置情報ＬＣに基づく位置とのディスプレイＤＰ上の位置関係が変更された動画基準位置情報ＬＣに基づき、動画ＡＲＶを停止又は再生する制御を行う。
【０１１２】
上述において、動画基準位置情報ＬＣが動画ＡＲＶの上方（ｙ軸正方向）に設定される場合について説明したが、これに限られない。
図１８は、本実施形態の動画ＡＲＶの表示位置と折り曲げ部ＦＬの位置との位置関係の第５の例を示す。
図１９は、本実施形態の動画ＡＲＶの表示位置と折り曲げ部ＦＬの位置との位置関係の第６の例を示す。
これらの図に示すように、動画基準位置情報ＬＣは、動画ＡＲＶの下方（ｙ軸負方向）に設定されてもよく、されなくてもよい。図１８に示すように、下側動画基準位置情報ＬＣＬａは、動画ＡＲＶの表示位置の下端から距離Ｌ１２離れた位置に設定される。この距離Ｌ１２は、下側動画基準位置情報ＬＣＬａが下側折曲基準位置情報ＲＦＬに掛かる場合に、動画ＡＲＶの表示位置が折り曲げ部ＦＬに掛かる位置関係にして設定されている。表示制御部２１６は、下側動画基準位置情報ＬＣＬａが下側折曲基準位置情報ＲＦＬに掛かる場合には、動画ＡＲＶを停止させる。また、表示制御部２１６は、スクロール操作により動画ＡＲＶの表示位置が上方（ｙ軸正方向）に移動し、下側動画基準位置情報ＬＣＬａが下側折曲基準位置情報ＲＦＬに掛からなくなった場合には、動画ＡＲＶを再生させる。
【０１１３】
なお、ディスプレイＤＰ上における動画ＡＲＶの表示位置を、利用者Ｕが変更できるように構成される場合がある。この場合には、動画ＡＲＶの表示位置の変更に伴って動画基準位置情報ＬＣが示す位置が変更されてよく、されなくてもよい。
すなわち、動画基準位置情報ＬＣは、端末２０に対する利用者Ｕの入力による、動画ＡＲＶの位置の変更に基づいて、ディスプレイＤＰ上での位置が変更され得る。
【０１１４】
＜第２実施形態の変形例（２）＞
上述では、動画ＡＲＶの表示位置が折り曲げ部ＦＬに含まれるか否かに基づいて動画ＡＲＶの停止又は再生を制御する場合を一例にして説明したが、これに限られない。表示制御部２１６は、動画ＡＲＶの表示位置が折り曲げ部ＦＬに含まれる場合に、動画ＡＲＶの表示位置を移動させてもよい。すなわち、動画ＡＲＶの制御は、動画ＡＲＶの停止又は再生を制御することだけでなく、動画ＡＲＶの表示位置を移動させることも含む。
【０１１５】
図２０は、本実施形態の表示位置が移動される前の動画ＡＲＶの一例を示す。
図２１は、本実施形態の表示位置が移動された後の動画ＡＲＶの一例を示す。
上述した各種の手順により、動画ＡＲＶの表示位置が折り曲げ部ＦＬに含まれるとされた場合、表示制御部２１６は、動画ＡＲＶの表示位置が折り曲げ部ＦＬに含まれない位置に、動画ＡＲＶを移動させてもよい。同図に示す一例では、表示制御部２１６は、動画ＡＲＶの表示位置を下方（ｙ軸負方向）に移動させる場合を示す。
すなわち、表示制御部２１６が行う動画ＡＲＶの制御は、動画ＡＲＶの表示位置と、折り曲げ部ＦＬの位置とに基づいて制御を行うことを含む。
【０１１６】
また、表示制御部２１６が行う動画ＡＲＶの制御は、動画ＡＲＶの表示位置が折り曲げ部ＦＬに含まれる場合、動画ＡＲＶの表示位置を移動させる制御を含む。
【０１１７】
また、表示制御部２１６は、ディスプレイＤＰの折り曲げ角度θの変化に応じて、動画ＡＲＶの表示位置を移動させてもよい。
図２２は、本実施形態の動画ＡＲＶの表示位置の移動の一例を示す。一例として、表示制御部２１６は、折曲状態情報ＤＦに含まれる折り曲げ角度θを取得する。取得した折り曲げ角度θが折り曲げ角度θ１１から折り曲げ角度θ１２に変化した場合、表示制御部２１６は、動画ＡＲＶの表示位置を移動させる。
【０１１８】
すなわち、表示制御部２１６は、動画ＡＲＶの表示位置が折り曲げ部ＦＬに含まれる場合、動画ＡＲＶの表示位置を折り曲げ部ＦＬとは異なる領域に移動させる。
【０１１９】
また、動画ＡＲＶの制御は、動画ＡＲＶの停止又は再生を制御することと、動画ＡＲＶの表示位置を移動させることとが組み合わされていてもよいし、組み合わされていなくてもよい。
例えば、表示制御部２１６は、動画ＡＲＶの表示位置が折り曲げ部ＦＬに含まれる場合、動画ＡＲＶを停止させ、動画ＡＲＶの表示位置が折り曲げ部ＦＬとは異なる領域に移動された場合、動画ＡＲＶを再生することとしてもよいし、しなくてもよい。
具体的には、図２２に示すように、動画ＡＲＶが折り曲げ部ＦＬに位置する場合において、利用者ＵがディスプレイＤＰを開いた場合（例えば、折り曲げ角度θが折り曲げ角度θ１１から折り曲げ角度θ１２に変化した場合）には、利用者Ｕからは、動画ＡＲＶの表示位置が、ディスプレイＤＰの上方向（例えば、ｙ軸正方向）に移動したように見える。つまり、ディスプレイＤＰを開くと動画ＡＲＶの見かけ上の位置が、上方向（例えば、ｙ軸正方向）に移動する。表示制御部２１６は、動画ＡＲＶの見かけ上の位置の移動が少なくなるようにして、動画ＡＲＶの表示位置を移動させる。例えば、表示制御部２１６は、折り曲げ部ＦＬを避けて動画ＡＲＶが表示されるように、動画ＡＲＶの表示位置をディスプレイＤＰの下方向（例えば、ｙ軸負方向）に移動させる。
なお、表示制御部２１６は、ディスプレイＤＰが開かれて折り曲げ角度θが変化した場合に、上述とは逆方向（すなわち、ディスプレイＤＰの上方向（例えば、ｙ軸正方向））に、動画ＡＲＶの表示位置を移動させてもよい。すなわち、表示制御部２１６は、折り曲げ部ＦＬを避けて動画ＡＲＶが表示されるように、動画ＡＲＶの表示位置をディスプレイＤＰの上方向（例えば、ｙ軸正方向）に移動させる。
【０１２０】
＜第２実施形態の変形例（３）＞
動画ＡＲＶの表示位置の移動について次のように構成されていてもよいし、されていなくてもよい。
図２３は、本実施形態の表示位置の入れ替え前の動画ＡＲＶの表示位置の一例を示す。
図２４は、本実施形態の表示位置の入れ替え後の動画ＡＲＶの表示位置の一例を示す。
上述したように、ディスプレイＤＰに表示される画像には、動画ＡＲＶと静止画ＡＲＳとがある。図２３に示すように、動画ＡＲＶの表示位置が折り曲げ部ＦＬに含まれており、静止画ＡＲＳ（例えば、静止画ＡＲＳ２１及び静止画ＡＲＳ２２）の表示位置が折り曲げ部ＦＬに含まれない場合がある。この場合、表示制御部２１６は、図２４に示すように、動画ＡＲＶの表示位置と、静止画ＡＲＳ（例えば、静止画ＡＲＳ２２）の表示位置とを入れ替えて、動画ＡＲＶ及び静止画ＡＲＳを表示させる。
なお、静止画ＡＲＳは、いわゆるネット記事のような文章による画像であってもよく、写真による画像であってもよく、他の形式の画像であってもよい。
すなわち、ディスプレイＤＰに表示される情報は、動画ＡＲＶを含む第１情報と、動画ＡＲＶを含まない第２情報とが含まれる。表示制御部２１６が行う動画ＡＲＶの制御は、第１情報の表示位置が折り曲げ部ＦＬに含まれ、第２情報の表示位置が折り曲げ部ＦＬとは異なる領域に含まれる場合、第１情報の表示位置と、第２情報の表示位置とを入れ替える制御を含む。
【０１２１】
＜第２実施形態の効果＞
折り曲げ式のディスプレイＤＰに画像を表示させる場合、折り曲げ部ＦＬに表示される画像は、他の部分に表示される画像に比べて利用者Ｕからの視認性が低い。例えば、表示される画像が広告動画である場合には、折り曲げ部ＦＬに表示される広告の視聴率が他の部分に比べて低く、広告効果の向上が困難であった。
本実施形態の表示装置Ｄによれば、ディスプレイＤＰに表示される動画ＡＲＶの表示位置と、ディスプレイＤＰの折り曲げ部ＦＬの位置とに基づいて、動画ＡＲＶの停止又は再生の制御を行う。具体的には、本実施形態の表示装置Ｄは、動画ＡＲＶが折り曲げ部ＦＬに表示されている場合には、動画ＡＲＶを停止する。また、本実施形態の表示装置Ｄは、動画ＡＲＶの表示位置が折り曲げ部ＦＬを通り過ぎて、非折り曲げ部ＮＦＬに動画ＡＲＶが表示されている場合には、動画ＡＲＶを再生する。
このように構成された表示装置Ｄによれば、利用者Ｕからの動画ＡＲＶの見え方に基づいて動画ＡＲＶを停止又は再生することができる。例えば、表示装置Ｄによれば、動画ＡＲＶが利用者Ｕから見えやすい状態になっている場合に動画ＡＲＶを再生し、動画ＡＲＶが利用者Ｕから見えにくい状態になっている場合には動画ＡＲＶを停止する。したがって、本実施形態の表示装置Ｄによれば、利用者Ｕからの動画ＡＲＶの視認性に基づいて、動画ＡＲＶの停止・再生を制御することができる。
【０１２２】
また、本実施形態の表示装置Ｄは、動画ＡＲＶの表示位置と、折り曲げ部ＦＬの位置とに基づいて、動画ＡＲＶの停止または、再生の制御を行う。したがって、本実施形態の表示装置Ｄによれば、動画ＡＲＶが折り曲げ部ＦＬに位置するか否かに基づいて、動画ＡＲＶの停止または、再生を制御することができる。
【０１２３】
また、本実施形態の表示装置Ｄは、動画ＡＲＶの表示位置と、折り曲げ部ＦＬの位置との位置関係（例えば、距離）に基づいて、動画ＡＲＶの停止または、再生の制御を行う。したがって、本実施形態の表示装置Ｄによれば、例えば、動画ＡＲＶが折り曲げ部ＦＬに近い場合には動画ＡＲＶを停止し、遠い場合には動画ＡＲＶを再生する制御を行うことができる。
【０１２４】
また、本実施形態の表示装置Ｄは、動画ＡＲＶの表示位置を示す基準位置情報と、折り曲げ部ＦＬの位置を示す基準位置情報との位置関係（例えば、距離）に基づいて、動画ＡＲＶの停止または、再生の制御を行う。したがって、本実施形態の表示装置Ｄによれば、動画ＡＲＶが実際に表示されている位置を把握できない場合であっても、基準位置情報を取得することによって、動画ＡＲＶと折り曲げ部ＦＬとの位置関係を把握することができる。このように構成された表示装置Ｄによれば、動画ＡＲＶに表示位置情報を埋め込むなどの手間が不要になり、より簡便に動画ＡＲＶと折り曲げ部ＦＬとの位置関係を把握することができる。
【０１２５】
また、本実施形態の表示装置Ｄは、動画ＡＲＶの表示倍率に基づいて、動画ＡＲＶの表示位置と、動画ＡＲＶの表示位置を示す基準位置情報との位置関係（例えば、距離）を変更する。このように構成された表示装置Ｄによれば、動画ＡＲＶの表示倍率の変更に備えて、個々の表示倍率ごとに位置関係を設定するなどの手間が不要になり、より簡便に動画ＡＲＶと折り曲げ部ＦＬとの位置関係を把握することができる。
【０１２６】
また、本実施形態の表示装置Ｄは、折り曲げ部ＦＬと動画ＡＲＶの表示位置とが設定された範囲内に含まれる場合、動画ＡＲＶの表示位置を示す第１基準位置情報と、折り曲げ部ＦＬの位置を示す第２基準位置情報との位置関係（例えば、距離）に基づいて、動画ＡＲＶの停止または、再生の制御を行う。したがって、本実施形態の表示装置Ｄによれば、動画ＡＲＶが実際に表示されている位置を直接把握できない場合や、折り曲げ部ＦＬの位置が直接把握できない場合であっても、これらの基準位置情報を取得することによって、動画ＡＲＶと折り曲げ部ＦＬとの位置関係を把握することができる。このように構成された表示装置Ｄによれば、動画ＡＲＶに表示位置情報を埋め込むなどの手間が不要になり、より簡便に動画ＡＲＶと折り曲げ部ＦＬとの位置関係を把握することができる。
【０１２７】
また、本実施形態の表示装置Ｄは、利用者Ｕの操作による動画ＡＲＶの表示位置の変更に基づいて、動画ＡＲＶの表示位置を示す第１基準位置情報を変更する。したがって、本実施形態の表示装置Ｄによれば、利用者Ｕが例えばスクロール操作をした場合において、動画ＡＲＶが実際に表示されている位置を直接把握できない場合であっても、基準位置情報を取得することによって、動画ＡＲＶと折り曲げ部ＦＬとの位置関係を把握することができる。このように構成された表示装置Ｄによれば、利用者Ｕの表示位置の変更操作に備えて動画ＡＲＶに表示位置情報を埋め込むなどの手間が不要になり、より簡便に動画ＡＲＶと折り曲げ部ＦＬとの位置関係を把握することができる。
【０１２８】
また、本実施形態の表示装置Ｄにおいて動画の停止は、動画ＡＲＶを構成する複数のフレーム画像のうちの一部のフレーム画像を継続して表示すること（例えば、一時停止状態または、ストップモーションにすること）である。このように構成された表示装置Ｄによれば、動画ＡＲＶの再生が可能な状態になった場合には、動画ＡＲＶの最初のフレームからではなく、再生が停止された途中のフレームから再生を開始することができ、動画ＡＲＶの提示効果を高めることができる。また、このように構成された表示装置Ｄによれば、動画ＡＲＶを最初から再生する場合に比べて再生時間を短縮することができるため、動画ＡＲＶを再生するための電力やメモリなどのリソースの消費を低減することができる。
【０１２９】
また、本実施形態の表示装置Ｄは、動画ＡＲＶの表示位置と、折り曲げ部ＦＬの位置に基づく折り曲げ領域との位置関係に基づいて、動画ＡＲＶを停止または再生を制御する。このように構成された表示装置Ｄによれば、利用者Ｕからの動画ＡＲＶの視認性が低い折り曲げ部ＦＬに動画ＡＲＶが位置するか否か基づいて動画ＡＲＶの停止や再生を制御するため、動画ＡＲＶの視認性が高い状態において動画ＡＲＶを再生することができる。したがって、表示装置Ｄによれば、動画ＡＲＶの提示効果を高めることができる。
【０１３０】
また、本実施形態の表示装置Ｄは、動画ＡＲＶの表示位置が、折り曲げ部ＦＬに位置する場合には、動画ＡＲＶの表示位置を移動させる。このように構成された表示装置Ｄによれば、利用者Ｕからの動画ＡＲＶの視認性が低い折り曲げ部ＦＬに動画ＡＲＶが位置する場合に、利用者Ｕによる操作がなされなくても動画ＡＲＶの表示位置を移動させることができる。したがって、表示装置Ｄによれば、利用者Ｕによる操作の手間を低減することができる。
【０１３１】
また、本実施形態の表示装置Ｄは、動画ＡＲＶの表示位置が、折り曲げ部ＦＬに位置する場合には、折り曲げ角度θが変化した場合に動画ＡＲＶの表示位置を移動させる。このように構成された表示装置Ｄによれば、利用者Ｕからの動画ＡＲＶの視認性が低い位置に動画ＡＲＶが表示されている場合に、利用者Ｕによる操作がなされなくても動画ＡＲＶの表示位置を移動させることができる。したがって、表示装置Ｄによれば、利用者Ｕによる操作の手間を低減することができる。
【０１３２】
また、本実施形態の表示装置Ｄは、動画ＡＲＶの表示位置が、折り曲げ部ＦＬに位置する場合には、動画ＡＲＶの表示位置を折り曲げ部ＦＬとは異なる領域に移動させる。このように構成された表示装置Ｄによれば、利用者Ｕからの動画ＡＲＶの視認性が低い折り曲げ部ＦＬに動画ＡＲＶが位置する場合に、動画ＡＲＶの視認性が高い位置に動画ＡＲＶの表示位置を移動させることができる。したがって、表示装置Ｄによれば、動画ＡＲＶの提示効果を高めることができる。
【０１３３】
また、本実施形態の表示装置Ｄは、動画ＡＲＶの表示位置が折り曲げ部ＦＬに位置する場合に動画ＡＲＶを停止させ、動画ＡＲＶの表示位置が折り曲げ部ＦＬとは異なる位置に移動された場合に、動画ＡＲＶを再生する。このように構成された表示装置Ｄによれば、動画ＡＲＶの表示位置が移動された場合に、利用者Ｕによる操作がなされなくても動画ＡＲＶの停止または、再生の制御を行うことができる。したがって、表示装置Ｄによれば、利用者Ｕによる操作の手間を低減することができる。
【０１３４】
また、本実施形態の表示装置Ｄは、動画ＡＲＶの表示位置が折り曲げ部ＦＬに含まれ、静止画ＡＲＳの表示位置が折り曲げ部ＦＬとは異なる領域に含まれる場合、動画ＡＲＶの表示位置と、静止画ＡＲＳの表示位置とを入れ替える。ここで、動画ＡＲＶは、折り曲げ部ＦＬに表示されていた場合に視認性が低下しやすい。静止画ＡＲＳは、折り曲げ部ＦＬに表示されていたとしても視認性が比較的低下しにくい。このように構成された表示装置Ｄによれば、静止画ＡＲＳを折り曲げ部ＦＬに表示させ、動画ＡＲＶを折り曲げ部ＦＬ以外に表示させることにより、ディスプレイＤＰの表示面積を有効に利用しつつ、動画ＡＲＶの視認性の低下を抑止することができる。
【０１３５】
また、本実施形態の表示装置Ｄは、ディスプレイＤＰの折り曲げ角度θに基づいて、動画ＡＲＶの表示位置を利用者Ｕの視認性が比較的高い位置に移動させる。このため、本実施形態の表示装置Ｄによれば、動画ＡＲＶの表示中においてディスプレイＤＰの折り曲げ角度θを変化させたことにより利用者Ｕによる画像の視認性に変化が生じうる場合であっても、利用者Ｕの視認性の変化を低減することができる。
【０１３６】
また、本実施形態の表示装置Ｄは、利用者Ｕによる動画ＡＲＶの視認性の変化に基づいて、動画ＡＲＶの表示位置と動画ＡＲＶ以外の画像（例えば、静止画ＡＲＳ）の表示位置とを入れ替えることにより、動画ＡＲＶの表示位置を移動させる。一般に、ディスプレイＤＰに表示される画像の位置を利用者Ｕの意図と無関係に変更すると、利用者Ｕに違和感が生じることがある。本実施形態の表示装置Ｄによれば、動画ＡＲＶの表示位置と他の画像の表示位置との入れ替えをすることにより、動画ＡＲＶの表示位置を変更するため、画像の見た目の変化が抑えられ、利用者Ｕが感じる違和感を低減することができる。
【０１３７】
また、本実施形態の表示装置Ｄは、動画ＡＲＶの表示位置と折り曲げ部ＦＬの位置との関係を、動画ＡＲＶの表示位置以外の位置（動画基準位置情報ＬＣ）を、動画ＡＲＶの制御の基準位置として定めている。このため、本実施形態の表示装置Ｄによれば、画像内のいずれかの位置に基準位置を設定すればよく、動画ＡＲＶに基準位置を設定しなければならない場合比べて、画像や基準位置の配置の自由度を向上させることができる。また、本実施形態の表示装置Ｄにおいて、動画基準位置情報ＬＣがディスプレイＤＰには表示されない形式で設定されていてもよい。このように構成された表示装置Ｄによれば、動画ＡＲＶの制御を利用者Ｕに気づかれないようにして行うことができる。
【０１３８】
また、本実施形態の表示装置Ｄは、ディスプレイＤＰの折り曲げ角度θに基づいて、動画ＡＲＶの表示位置を移動させる。一般に、利用者Ｕによる動画ＡＲＶの視認性の程度の算出には困難が伴うことがあるが、このように構成された表示装置Ｄによれば、動画ＡＲＶの視認性の程度をディスプレイＤＰの折り曲げ角度θに置き換えて取得するため、比較的簡易な構成により、動画ＡＲＶの停止・再生を制御することができる。
また、本実施形態の表示装置Ｄは、ディスプレイＤＰの折り曲げ角度θの変化に伴って、動画ＡＲＶの停止・再生を制御する。このため、動画ＡＲＶの表示中においてディスプレイＤＰの折り曲げ角度θを変化させて利用者Ｕの視認性に変化が生じた場合であっても、利用者Ｕの視認性の変化に追従させて動画ＡＲＶの停止・再生を制御することができる。
【０１３９】
また、本実施形態の表示装置Ｄは、利用者Ｕの視線や顔の位置を検出した結果に基づいて、又は表示装置Ｄの姿勢に基づいて、動画ＡＲＶの停止又は再生の制御を行う。このように構成された表示装置Ｄによれば、表示装置Ｄと利用者Ｕとの相対位置が変化して、利用者Ｕの視認性に変化が生じた場合であっても、利用者Ｕの視認性の変化に追従させて動画ＡＲＶの停止・再生を制御することができる。
【０１４０】
また、本実施形態の表示装置Ｄは、利用者Ｕが視認できない位置に動画ＡＲＶが表示される場合には、動画ＡＲＶの再生を停止する。一般に、動画ＡＲＶを再生する場合において、利用者Ｕに視聴されないうちに動画ＡＲＶを最後まで再生してしまうと動画ＡＲＶの視聴効果（例えば、動画ＡＲＶが広告動画である場合には、広告効果）が低減してしまうことがある。本実施形態のように構成された表示装置Ｄによれば、表示装置Ｄと利用者Ｕとの相対位置が変化して、利用者Ｕの視認性が低下した場合には動画ＡＲＶの再生を停止させるため、動画ＡＲＶの視聴効果の低減を抑えることができる。
【０１４１】
本開示の実施形態を諸図面や実施例に基づき説明してきたが、当業者であれば本開示に基づき種々の変形や修正を行うことが容易であることに注意されたい。従って、これらの変形や修正は本開示の範囲に含まれることに留意されたい。限定でなく例として、各手段、各ステップ等に含まれる機能等は論理的に矛盾しないように再配置可能であり、複数の手段やステップ等を１つに組み合わせたり、或いは分割したりすることが可能である。また、各実施形態に示す構成を適宜組み合わせることとしてもよい。
【符号の説明】
【０１４２】
１…通信システム、１０…サーバ、２０…端末、２１…制御部、２１１…動画情報取得部、２１２…折曲情報取得部、２１３…表示状態算出部、２１４…操作者情報取得部、２１５…姿勢情報取得部、２１６…表示制御部、３０…ネットワーク、Ｄ…表示装置
【図１】
2020106571.tif 000003
【図２】
2020106571.tif 000004
【図３】
2020106571.tif 000005
【図４】
2020106571.tif 000006
【図５】
2020106571.tif 000007
【図６】
2020106571.tif 000008
【図７】
2020106571.tif 000009
【図８】
2020106571.tif 000010
【図９】
2020106571.tif 000011
【図１０】
2020106571.tif 000012
【図１１】
2020106571.tif 000013
【図１２】
2020106571.tif 000014
【図１３】
2020106571.tif 000015
【図１４】
2020106571.tif 000016
【図１５】
2020106571.tif 000017
【図１６】
2020106571.tif 000018
【図１７】
2020106571.tif 000019
【図１８】
2020106571.tif 000020
【図１９】
2020106571.tif 000021
【図２０】
2020106571.tif 000022
【図２１】
2020106571.tif 000023
【図２２】
2020106571.tif 000024
【図２３】
2020106571.tif 000025
【図２４】
2020106571.tif 000026